(57)【要約】【課題】効率的に誤り訂正符号化を行うことができる送信装置を提供する。【解決手段】トランスポートブロックの符号化により符号化ビットを生成する符号化部と、前記符号化ビットを含むチャネルを送信する送信部と、を備え、前記符号化ビットのマッピングは、以下の第１の要素から第４の要素の少なくとも１つに基づき、与えられる。・第１の要素：前記チャネルのシンボルの長さ・第２の要素：前記チャネルの信号波形・第３の要素：前記コードブロックに適用される誤り訂正符号化の方式・第４の要素：前記チャネルのコンポーネントキャリアの設定【選択図】図６
2019149592.tif 000002
【特許請求の範囲】
【請求項１】
トランスポートブロックの符号化により符号化ビットを生成する符号化部と、
前記符号化ビットを含むチャネルを送信する送信部と、を備え、
前記符号化ビットのマッピングは、第１の要素、第２の要素、第３の要素、および、第４の要素の少なくとも１つに基づき与えられ、
前記第１の要素は前記チャネルのシンボルの長さであり、
前記第２の要素は前記チャネルの信号波形であり、
前記第３の要素は前記トランスポートブロックに適用される誤り訂正符号化の方式であり、
前記第４の要素は前記チャネルのコンポーネントキャリアの設定である
送信装置。
【請求項２】
前記マッピングは、サブブロックインターリーブであり、
前記符号化ビットの配置切り替えが行われるか否かは、前記第１の要素、前記第２の要素、前記第３の要素、および、前記第４の要素の少なくとも１つに基づき与えられる
請求項１に記載の送信装置。
【請求項３】
前記マッピングは、チャネルインターリーブであり、
前記符号化ビットに基づき生成される多重ビットの配置切り替えが行われるか否かは、前記第１の要素、前記第２の要素、前記第３の要素、および、前記第４の要素の少なくとも１つに基づき与えられる
請求項１に記載の送信装置。
【請求項４】
前記マッピングは、リソースエレメントマップ処理であり、
前記符号化ビットに基づき生成される送信ビットが時間軸を優先してマッピングされるか（Time first mapping）、周波数軸を優先してマッピングされるか（Frequency first mapping）は、前記第１の要素、前記第２の要素、前記第３の要素、および、前記第４の
要素の少なくとも１つに基づき与えられる
請求項１に記載の送信装置。
【請求項５】
トランスポートブロックの符号化により生成される符号化ビットを含むチャネルを受信する受信部と、
前記符号化ビットを復号化する復号化部と、を備え、
前記符号化ビットのマッピングは、第１の要素、第２の要素、第３の要素、および、第４の要素の少なくとも１つに基づき与えられ、
前記第１の要素は前記チャネルのシンボルの長さであり、
前記第２の要素は前記チャネルの信号波形であり、
前記第３の要素は前記トランスポートブロックに適用される誤り訂正符号化の方式であり、
前記第４の要素は前記チャネルのコンポーネントキャリアの設定である
受信装置。
【請求項６】
前記マッピングは、サブブロックインターリーブであり、
前記符号化ビットの配置切り替えが行われるか否かは、前記第１の要素、前記第２の要素、前記第３の要素、および、前記第４の要素の少なくとも１つに基づき与えられる
請求項５に記載の受信装置。
【請求項７】
前記マッピングは、チャネルインターリーブであり、
前記符号化ビットに基づき生成される多重ビットの配置切り替えが行われるか否かは、
前記第１の要素、前記第２の要素、前記第３の要素、および、前記第４の要素の少なくとも１つに基づき与えられる
請求項５に記載の受信装置。
【請求項８】
前記マッピングは、リソースエレメントマップ処理であり、
前記符号化ビットに基づき生成される送信ビットが時間軸を優先してマッピングされるか（Time first mapping）、周波数軸を優先してマッピングされるか（Frequency first mapping）は、前記第１の要素、前記第２の要素、前記第３の要素、および、前記第４の
要素の少なくとも１つに基づき与えられる
請求項５に記載の受信装置。
【請求項９】
送信装置に用いられる通信方法であって、
トランスポートブロックの符号化により符号化ビットを生成するステップと、
前記符号化ビットを含むチャネルを送信するステップと、を備え、
前記符号化ビットのマッピングは、第１の要素、第２の要素、第３の要素、および、第４の要素の少なくとも１つに基づき与えられ、
前記第１の要素は前記チャネルのシンボルの長さであり、
前記第２の要素は前記チャネルの信号波形であり、
前記第３の要素は前記トランスポートブロックに適用される誤り訂正符号化の方式であり、
前記第４の要素は前記チャネルのコンポーネントキャリアの設定である
通信方法。
【請求項１０】
受信装置に用いられる通信方法であって、
トランスポートブロックの符号化により生成される符号化ビットを含むチャネルを受信するステップと、
前記符号化ビットを復号化するステップと、を備え、
前記符号化ビットのマッピングは、第１の要素、第２の要素、第３の要素、および、第４の要素の少なくとも１つに基づき与えられ、
前記第１の要素は前記チャネルのシンボルの長さであり、
前記第２の要素は前記チャネルの信号波形であり、
前記第３の要素は前記トランスポートブロックに適用される誤り訂正符号化の方式であり、
前記第４の要素は前記チャネルのコンポーネントキャリアの設定である
通信方法。
【請求項１１】
送信装置に実装される集積回路であって、
トランスポートブロックの符号化により符号化ビットを生成する符号化回路と、
前記符号化ビットを含むチャネルを送信する送信回路と、を備え、
前記符号化ビットのマッピングは、第１の要素、第２の要素、第３の要素、および、第４の要素の少なくとも１つに基づき与えられ、
前記第１の要素は前記チャネルのシンボルの長さであり、
前記第２の要素は前記チャネルの信号波形であり、
前記第３の要素は前記トランスポートブロックに適用される誤り訂正符号化の方式であり、
前記第４の要素は前記チャネルのコンポーネントキャリアの設定である
集積回路。
【請求項１２】
受信装置に実装される集積回路であって、
トランスポートブロックの符号化により生成される符号化ビットを含むチャネルを受信
する受信回路と、
前記符号化ビットを復号化する復号化回路と、を備え、
前記符号化ビットのマッピングは、第１の要素、第２の要素、第３の要素、および、第４の要素の少なくとも１つに基づき与えられ、
前記第１の要素は前記チャネルのシンボルの長さであり、
前記第２の要素は前記チャネルの信号波形であり、
前記第３の要素は前記トランスポートブロックに適用される誤り訂正符号化の方式であり、
前記第４の要素は前記チャネルのコンポーネントキャリアの設定である
集積回路。
【発明の詳細な説明】
【技術分野】
【０００１】
本発明は、送信装置、受信装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥにおいて、基地局装置はｅＮｏｄｅＢ（evolved NodeB）、端末装置はＵＥ（User Equipment）とも呼称される。ＬＴＥは、
基地局装置がカバーするエリアをセル状に複数配置するセルラー通信システムである。単一の基地局装置は複数のセルを管理してもよい。
【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【０００４】
上記の要求を満たすため、ＮＲに採用される誤り訂正符号の検討が行われている（非特許文献２）。
【先行技術文献】
【非特許文献】
【０００５】
【非特許文献１】"New SID proposal: Study on New Radio Access Technology", RP-160671, NTT docomo, 3GPP TSG RAN Meeting #71, Goteborg, Sweden, 7th - 10th March, 2016.
【非特許文献２】"3GPP TR 38.802 V0.0.3 (2016-03) ", R1-165889, 9th June, 2016.
【発明の概要】
【発明が解決しようとする課題】
【０００６】
本発明は、効率的に誤り訂正符号化を行うことができる送信装置、該送信装置に用いられる通信方法、該送信装置に実装される集積回路、効率的に誤り訂正復号化を行うことができる受信装置、該受信装置に用いられる通信方法、該受信装置に実装される集積回路を提供する。
【課題を解決するための手段】
【０００７】
（１）本発明の態様は、以下のような手段を講じた。すなわち、本発明の第１の態様は、送信装置であって、トランスポートブロックの符号化により符号化ビットを生成する符号化部と、前記符号化ビットを含むチャネルを送信する送信部と、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【０００８】
（２）本発明の第２の態様は、受信装置であって、トランスポートブロックの符号化により生成される符号化ビットを含むチャネルを受信する受信部と、前記符号化ビットを復号化する復号化部と、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【０００９】
（３）本発明の第３の態様は、送信装置に用いられる通信方法であって、トランスポートブロックの符号化により符号化ビットを生成するステップと、前記符号化ビットを含むチャネルを送信するステップと、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【００１０】
（４）本発明の第４の態様は、受信装置に用いられる通信方法であって、トランスポートブロックの符号化により生成される符号化ビットを含むチャネルを受信するステップと、前記符号化ビットを復号化するステップと、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【００１１】
（５）本発明の第５の態様は、送信装置に実装される集積回路であって、トランスポートブロックの符号化により符号化ビットを生成する符号化回路と、前記符号化ビットを含むチャネルを送信する送信回路と、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【００１２】
（６）本発明の第６の態様は、受信装置に実装される集積回路であって、トランスポートブロックの符号化により生成される符号化ビットを含むチャネルを受信する受信回路と、前記符号化ビットを復号化する復号化回路と、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【発明の効果】
【００１３】
この発明によれば、送信装置は、誤り訂正符号化効率的に行うことができる。また、受信装置は、誤り訂正復号化を効率的に行うことができる。
【図面の簡単な説明】
【００１４】
【図１】本実施形態の無線通信システムの概念図である。
【図２】本実施形態の無線通信システムの概念図である。
【図３】本実施形態の無線フレームの概略構成の一例を示す図である。
【図４】本実施形態のスロットの概略構成の一例を示す図である。
【図５】本実施形態の送信プロセス３０００の構成の一例を示した図である。
【図６】本実施形態の符号化処理部３００１の構成例を示した図である。
【図７】本実施形態の受信プロセスにおける処理遅延の概念を示す図である。
【図８】本実施形態のサブブロックインターリーバ部４００３による符号化ビット配列変更の一例を示した図である。
【図９】本実施形態の上りリンクにおける符号化処理部３００１に含まれる制御情報およびデータ多重部４００７、チャネルインターリーバ部４００８の構成例の一部を示す図である。
【図１０】本実施形態の端末装置１の構成を示す概略ブロック図である。
【図１１】本実施形態の基地局装置３の構成を示す概略ブロック図である。
【発明を実施するための形態】
【００１５】
以下、本発明の実施形態について説明する。以下の説明に含まれる記載“与えられる”は、“決定される”、または、“設定される”のいずれに読み替えられてもよい。
【００１６】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１７】
以下、キャリアアグリゲーションについて説明する。
【００１８】
本発明の一態様において、端末装置１は、複数のサービングセルが設定されてもよい。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。ここで、１つのサービングセルは、単一の帯域により構成されてもよい。また、１つのサービングセルは、不連続な複数の帯域の集合により構成されてもよい。
【００１９】
複数のサービングセルは、少なくとも１つのプライマリセルを含んでもよい。複数のサービングセルは、１つ、または、複数のセカンダリセルを含んでもよい。プライマリセルは、初期コネクション確立（initial connection establishment）手順が行なわれたサービングセルであってもよい。また、プライマリセルは、コネクション再確立（connection
re-establishment）手順を開始したサービングセルであってもよい。また、プライマリ
セルは、ハンドオーバ手順においてプライマリセルと指示されたセルであってもよい。プライマリセル以外のセルは、ＲＲＣ（Radio Resource Control）コネクションが確立された時点、または、後に、セカンダリセルが設定されてもよい。ここで、プライマリセルは、ＬＴＥ規格に準拠するセルであってもよい。また、プライマリセルは、ＮＲの規格に準拠するセルであってもよい。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２１】
端末装置１は、複数のサービングセル（コンポーネントキャリア）において同時に複数の物理チャネルでの送信、および／または、受信を行うことができる。１つの物理チャネルは、複数のサービングセル（コンポーネントキャリア）のうち１つのサービングセル（コンポーネントキャリア）において送信されてもよい。
【００２２】
端末装置１は、サービングセルに関する指標（例えば、ServCellIndex, SCellIndex等
）に基づき、サービングセルを特定することができる。サービングセルに関する指標は、基地局装置より送信される上位層の信号に含まれてもよい。
【００２３】
以下、デュアルコネクティビティについて説明する。
【００２４】
図２は、本実施形態の無線通信システムの一例を示す図である。端末装置１が、複数の基地局装置３Ａおよび３Ｂ（基地局装置３Ａおよび３Ｂをまとめて基地局装置３とも呼称する）と同時に接続している場合を説明する。基地局装置３Ａはマスター基地局装置（ＭｅＮＢ：Ｍａｓｔｅｒ  ｅＮＢ）であり、基地局装置３Ｂはセカンダリー基地局装置（ＳｅＮＢ：Ｓｅｃｏｎｄａｒｙ  ｅＮＢ）であるとする。このように、端末装置１が、複数の基地局装置３に属する複数のセルを用いて同時に接続することをデュアルコネクティビティと称する。各基地局装置３に属するセルは同じ周波数で運用されてもよいし、異なる周波数で運用されていてもよい。
【００２５】
なお、キャリアアグリゲーションは、複数のセルを一つの基地局装置３が管理し、各セルの周波数が異なるという点がデュアルコネクティビティと異なる。換言すると、キャリアアグリゲーションは、一つの端末装置１と一つの基地局装置３とを、周波数が異なる複数のセルを介して接続させる技術であるのに対し、デュアルコネクティビティは、一つの端末装置１と複数の基地局装置３とを、周波数が同じまたは異なる複数のセルを介して接続させる技術である。
【００２６】
別の観点から言うと、デュアルコネクティビティは、端末装置１が、少なくとも２つのネットワークポイントでＲＲＣ接続を行なうことであってもよい。デュアルコネクティビティにおいて、端末装置１は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００２７】
マスター基地局装置に関連するサービングセルのグループはマスターセルグループ（ＭＣＧ：Ｍａｓｔｅｒ  Ｃｅｌｌ  Ｇｒｏｕｐ）と呼称されてもよい。また、セカンダリー基地局装置に関連されるサービングセルのグループはセカンダリーセルグループ（ＳＣＧ：Ｓｅｃｏｎｄａｒｙ  Ｃｅｌｌ  Ｇｒｏｕｐ）と呼称されてもよい。なお、セルグループは、サービングセルグループであってもよい。
【００２８】
デュアルコネクティビティにおいて、プライマリセルは、ＭＣＧに属してもよい。また、ＳＣＧにおいて、プライマリセルに相当するセカンダリセルをプライマリセカンダリセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。
【００２９】
本発明の一態様において、ＬＴＥ規格に準拠するサービングセルとＮＲの規格に準拠するサービングセルとがデュアルコネクティビティにより接続されてもよい。例えば、ＭＣＧは少なくともＬＴＥ規格に準拠するサービングセルを含み、ＳＣＧは少なくともＮＲの規格に準拠するサービングセルを含んでもよい。
【００３０】
以下、本実施形態の無線フレーム（radio frame）の構成の一例について説明する。
【００３１】
図３は、本実施形態の無線フレームの概略構成の一例を示す図である。例えば、無線フレームのそれぞれは、１０ｍｓ長であってもよい。図３において、横軸は時間軸である。また、例えば、無線フレームのそれぞれは１０のサブフレームから構成されてもよい。また、サブフレームのそれぞれは、１ｍｓ長であり、２つの連続するスロットによって定義されてもよい。また、スロットのそれぞれは、０．５ｍｓ長であってもよい。つまり、１０ｍｓ間隔のそれぞれにおいて、１０個のサブフレームが含まれてもよい。ここで、サブフレームをＴＴＩ（Transmission Time Interval）とも称する。ＴＴＩは、ＯＦＤＭ（Orthogonal Frequency Division Multiplexing）シンボル数により特定されてもよい。
【００３２】
以下、本実施形態のスロットの構成の一例について説明する。図４は、本実施形態におけるスロットの概略構成の一例を示す図である。図４は、１つのセルにおけるスロットの構成の一例を示す。図４において、横軸は時間軸であり、縦軸は周波数軸である。図４において、ｌはＯＦＤＭシンボル番号／インデックスであり、ｋはサブキャリア番号／インデックスである。なお、ＯＦＤＭシンボルは単にシンボルとも呼称される。また、セルの信号波形がＯＦＤＭ以外である場合（ＯＦＤＭを基本とした信号波形も含む）においても、当該信号波形が適用される１つのシンボルは、ＯＦＤＭシンボルと呼称されてもよい。
【００３３】
本発明の一態様において、スロットのそれぞれにおいて送信される物理シグナルまたは物理チャネルは、リソースグリッドによって表現されてもよい。下りリンクにおいて、リソースグリッドは複数のサブキャリアと複数のＯＦＤＭシンボルによって定義されてもよい。リソースグリッド内のエレメントのそれぞれをリソースエレメントと称する。リソースエレメントは、サブキャリア番号／インデックスｋ、および、ＯＦＤＭシンボル番号／インデックスｌによって表されてもよい。
【００３４】
本発明の一態様において、スロットは、時間領域において、複数のＯＦＤＭシンボルｌ（l=0,1,…,NDLsymb）を含んでもよい。例えば、NDLsymbは、１つのスロットに含まれる
ＯＦＤＭシンボルの数を示してもよい。ノーマルＣＰ（normal Cyclic Prefix）に対して、NDLsymbは７であってもよい。拡張ＣＰ（extended ＣＰ）に対して、NDLsymbは６であ
ってもよい。
【００３５】
本発明の一態様において、スロットは、周波数領域における複数のサブキャリアｋ（k=0,1,…,NDLRB ×NRBsc)を含んでもよい。NDLRBは、NRBscの倍数によって表現される、サ
ービングセルに対する帯域幅設定であってもよい。NRBscは、サブキャリアの数（サブキ
ャリア数）によって表現される、周波数領域における（物理）リソースブロックサイズであってもよい。サブキャリア間隔Δfは１５ｋＨｚであってもよく、NRBscは１２であってもよい。すなわち、１つのリソースブロックが占有する帯域幅は、１８０ｋＨｚであってもよい。サブキャリア間隔Δfはチャネル毎、および／または、ＴＴＩ毎に異なってもよ
い。
【００３６】
以下、初期接続の方法例を説明する。
【００３７】
端末装置１は、基地局装置３と接続（初期接続、通信の事前処理、通信の準備、事前接続）を行う場合、基地局装置３より送信されるチャネルを検出する動作を行ってもよい。基地局装置３より送信されるチャネルは、端末装置１が基地局装置３の通信設定（帯域幅、セルＩＤ、サブキャリア間隔、共有チャネル設定、制御チャネル設定等）の少なくとも１つを知らない条件においても検出できることが好適である。例えば、基地局装置３より送信されるチャネルは、一定時間の周期において繰り返し送信される特徴を備えてもよい
。端末装置１が基地局装置と接続するために検出されるチャネルは同期チャネル（または同期信号（SS: Synchronization Signal）等）とも呼称される。
【００３８】
同期チャネルは、該同期チャネルが送信される無線リソースのチャネル情報（CSI: Channel State Information）を端末装置１に提供する機能を備えてもよい。つまり、同期チャネルは、基地局装置３と接続するために用いられる情報（例えば、システム情報）等を復調するための参照信号であってもよい。例えば、システム情報は、ＭＩＢ（Master Information Block）、ＳＩＢ（System Information Block）であってもよい。また、同期チャネルは、システム情報を復調するために用いられる情報（例えば、物理セルＩＤ（Physical Cell ID）、仮想セルＩＤ（Virtual Cell ID）、システム情報をスクランブルする
ＩＤ）であってもよい。つまり、端末装置１は、同期チャネルの検出により、チャネル情報、システム情報を復調するために用いられる情報の少なくとも１つを取得してもよい。
【００３９】
同期チャネルは、ＰＳＳ（Primary Synchronization Signal）、および／または、ＳＳＳ（Secondary Synchronization Channel）であってもよい。端末装置１は、同期チャネ
ルの検出により、チャネル情報、および／または、物理セルＩＤを取得することができる。物理セルＩＤは、基地局装置３を特定する情報であってもよい。
【００４０】
以下物理チャネルの説明を行う。
【００４１】
基地局装置３より送信されるチャネルは、同期チャネル、参照信号チャネル、報知チャネル、制御チャネル、共有チャネルを含んでもよい。同期チャネルは、端末装置１が基地局装置３と、周波数、および／または、時間の同期をとるために送信されてもよい。参照信号チャネルは、チャネルを復調するための伝搬路情報を取得するために送信されてもよい。報知チャネルは、基地局装置３に接続される複数の端末装置３に対して適用される情報を含むチャネルであってもよい。制御チャネルは、端末装置１（または端末装置１のグループ）に対して適用される情報を含むチャネルであってもよい。共有チャネルは、端末装置１（または端末装置１のグループ）に対して適用される情報を含むチャネルであってもよい。
【００４２】
例えば、同期チャネルは、ＰＳＳ、ＳＳＳのいずれかであってもよい。別の観点から見れば、ＰＳＳおよびＳＳＳは、報知チャネルを復調するための参照信号チャネルであってもよい。同期チャネルは、物理セルＩＤ、または、仮想セルＩＤ等のサービングセルに関する識別情報を通知する機能を備えてもよい。
【００４３】
例えば、参照信号チャネルは、ＣＲＳ（Cell specific Reference signal）、ＤＭＲＳ（DeModuration Reference signal）、ＵＥ−ＲＳ（UE specific - Reference signal）
、ＣＳＩ−ＲＳ（Channel State Information - Reference signal）、ＤＲＳ（Discovery Reference signal）のいずれかであってもよい。
【００４４】
例えば、報知チャネルは、ＰＢＣＨ（Physical Broadcast CHannel）であってもよい。報知チャネルは、基地局装置３と端末装置１が通信するための主要な（Primary）情報（
ＭＩＢ）を含むチャネルであってもよい。
【００４５】
例えば、制御チャネルは、ＰＤＣＣＨ（Physical Downlink Control CHannel）、ＥＰ
ＤＣＣＨ（Enhanced Physical Downlink Control CHannel）のいずれかであってもよい。制御チャネルは、共有チャネルの復調のために必要な情報（例えば、スケジューリング情報等）を含むチャネルであってもよい。制御チャネルは、制御情報の集合を含んでもよい。例えば、制御情報の集合は、下りリンク制御情報（DCI: Downlink Control Information）であってもよい。
【００４６】
例えば、共有チャネルは、ＰＤＳＣＨ（Physical Downlink Shared CHannel）、ＰＵＳＣＨ（Physical Uplink Shared CHannel）、ＰＳＳＣＨ（Physical Sidelink Shared Channel）、ＰＳＣＨ（Physical Shared Channel）を含んでもよい。共有チャネルは、上位
層の信号を含むチャネルであってもよい。例えば、上位層の信号は、ＭＣＥ（MAC Control Element）に含まれる情報であってもよい。また、例えば、上位層の信号は、ＲＲＣ（Radio Resource Configuration）  ｓｉｇｎａｌｉｎｇに含まれる情報であってもよい。
【００４７】
基地局装置３より送信されるチャネル、および／または、端末装置１より送信されるチャネルは、１つのＴＴＩ（Transmission Time Interval）に含まれてもよい。例えば、ＴＴＩ長は１ｍｓであってもよいし、１ｍｓではなくてもよい。ＴＴＩ長はスロットの長さと等しくてもよい。また、ＴＴＩ長は、複数のシンボル（ＯＦＤＭシンボル、または、ＤＦＴ−ｓ−ＯＦＤＭ（Discrete Fourier Transform - spreading OFDM）シンボル）の定
数倍により規定されてもよい。また、ＴＴＩ長は、サブキャリア間隔に基づき与えられてもよい。ここで、上りリンクにおけるＤＦＴ−ｓ−ＯＦＤＭは、基地局装置３（または無線通信システム）の観点からはＳＣ−ＦＤＭＡ（Single Carrier - Frequency Division Multiple Access）であってもよい。
【００４８】
トランスポートブロックを含むチャネルのためのＴＴＩ長は、上位層の信号に含まれる情報に基づいて設定されてもよい。トランスポートブロックを含むチャネルのためのＴＴＩ長は、制御チャネルに含まれる情報に基づいて設定されてもよい。トランスポートブロックを含むチャネルのためのＴＴＩ長は、あらかじめ端末装置１に設定される情報に基づいて設定されてもよい。ここで、トランスポートブロックを含むチャネルのＴＴＩ長、および、トランスポートブロックを含むチャネルのためのＴＴＩ長は、時間領域におけるトランスポートブロックを含むチャネルのための長さであってもよい。あらかじめ端末装置１に設定されるとは、端末装置１が備える記憶装置（または記憶媒体）に含まれることであってもよい。また、あらかじめ端末装置１に設定されるとは、仕様書の記載に基づき設定されることであってもよい。また、あらかじめ設定されるとは、仕様書の記載に基づき設定されることであってもよい。
【００４９】
以下、基地局装置３、または、端末装置１が備える送信プロセス３０００の説明を行う。
【００５０】
図５は、物理層の送信プロセス３０００の構成の一例を示した図である。送信プロセス（Transmission process）３０００は、符号化処理部（coding）３００１、スクランブル処理部（Scrambling）３００２、変調マップ処理部（Modulation mapper）３００３、
レイヤマップ処理部（Layer mapper）３００４、送信プレコード処理部（Transform precoder）３００５、プレコード処理部（Precoder）３００６、リソースエレメントマップ処理部（Resource element mapper）３００７、ベースバンド信号生成処理部（OFDM baseband signal generation）３００８、の少なくとも１つを含んだ構成である。
【００５１】
例えば、符号化処理部３００１は、誤り訂正符号化処理により、上位層より送られる（または、通知される、送達される、送信される、渡される等）トランスポートブロック（または、データブロック、トランスポートデータ、送信データ、送信符号、送信ブロック、ペイロード、情報、情報ブロック等）を符号化ビット（coded bit）に変換する機能
を備えてもよい。例えば、誤り訂正符号化には、ターボ（Turbo）符号、ＬＤＰＣ（Low Density Parity Check）符号、Ｐｏｌａｒ符号、畳み込み符号（convolutional codeまた
はTail biting convolutional code等）、ブロック符号、ＲＭ（Reed Muller）符号、リ
ードソロモン符号、繰り返し符号が含まれる。符号化処理部３００１は、符号化ビットをスクランブル処理部３００２に送る機能を備える。符号化処理部３００１の動作の詳細は
後述する。
【００５２】
ここで、符号化ビットに変換されるトランスポートブロックは、誤り訂正符号化が施された符号化ビットであってもよい。つまり、本発明の一態様において、トランスポートブロックは、外符号（Outer code）による誤り訂正符号化処理が行われてもよい。
【００５３】
例えば、スクランブル処理部３００２は、スクランブル処理により、符号化ビットをスクランブルビット（scramble bit）に変換する機能を備えてもよい。例えば、スクランブルされたビットは、符号化ビットとスクランブル系列に、２を法とする和をとることにより得られてもよい。つまり、スクランブルは、符号化ビットとスクランブル系列に２を法とする和をとることであってもよい。スクランブル系列は、固有な系列（例えばＣ−ＲＮＴＩ（Cell specific - Radio Network Temporary Identifier））に基づき、擬似ランダム関数により生成される系列であってもよい。
【００５４】
例えば、変調マップ処理部３００３は、変調マップ処理によりスクランブルビットを変調ビットに変換する機能を備えてもよい。変調ビットは、スクランブルビットに対して、ＱＰＳＫ（Quaderature Phase Shift Keying）、１６ＱＡＭ（Quaderature Amplitude Modulation）、６４ＱＡＭ、２５６ＱＡＭ等の変調処理が施されることにより得られてもよい。ここで、変調ビットは、変調シンボルとも呼称される。
【００５５】
例えば、レイヤマップ処理部３００４は、変調ビットを各レイヤにマッピングする機能を備えてもよい。レイヤ（layer）とは、空間領域における物理層信号の多重度に関す
る指標である。つまり、例えば、レイヤ数が１の場合、空間多重が行われないことを意味している。また、レイヤ数が２の場合、２種類の物理層信号が空間多重されることを意味している。
【００５６】
例えば、送信プレコード処理部３００５は、各レイヤにマッピングされた変調ビットに送信プレコード処理を施すことにより送信ビットを生成する機能を備えてもよい。変調ビット、および、送信ビットは、複素数値シンボルであってもよい。例えば、送信プレコード処理は、ＤＦＴ拡散（DFT spread, DFT spreading）等による処理を含む。ここで、
送信プレコード処理部３００５において、上位層の信号に含まれる情報に基づき、送信プレコード処理を施すか否かが与えられてもよい。また、送信プレコード処理部３００５において、制御チャネルに含まれる情報に基づき、送信プレコード処理を施すか否かが与えられてもよい。また、送信プレコード処理部３００５において、あらかじめ設定される情報に基づき、送信プレコード処理を施すか否かが与えられてもよい。ここで、送信ビットは、送信シンボルとも呼称される。
【００５７】
例えば、プレコード処理部３００６は、送信ビットに対して、プレコーダを乗算することにより、送信アンテナポートごとの送信ビットを生成する機能を備えてもよい。送信アンテナポートは、論理的なアンテナのポートである。１つの送信アンテナポートは、複数の物理アンテナにより構成されてもよい。論理的なアンテナポートは、プレコーダにより識別されてもよい。
【００５８】
例えば、リソースエレメントマップ処理部３００７は、送信アンテナポートごとの送信ビットをリソースエレメントにマッピングする処理を行う機能を備えてもよい。リソースエレメントマップ処理部３００７におけるリソースエレメントへのマッピング方法の詳細は後述される。
【００５９】
例えば、ベースバンド信号生成処理部３００８は、リソースエレメントにマップされた送信ビットを、ベースバンド信号に変換する機能を備えてもよい。送信ビットをベースバ
ンド信号に変換する処理は、例えば、逆フーリエ変換処理（IFFT: Inverse Fast Fourier
Transform）や、ウィンドウ処理（Windowing）、フィルタリング処理（Filter processing）等を含んでもよい。ベースバンド信号生成処理部３００８において、上位層の信号に含まれる情報に基づき、リソースエレメントにマップされた送信ビットをベースバンド信号に変換する処理を施すか否かが与えられてもよい。ベースバンド信号生成処理部３００８において、制御チャネルに含まれる情報に基づき、リソースエレメントにマップされた送信ビットをベースバンド信号に変換する処理を施すか否かが与えられてもよい。ベースバンド信号生成処理部３００８において、あらかじめ設定される情報に基づき、リソースエレメントにマップされた送信ビットをベースバンド信号に変換する処理を施すか否かが与えられてもよい。送信プロセス３０００において、上位層の信号、および、制御チャネルは、端末装置１、または、基地局装置３の一方より送信されてもよい。送信プロセス３０００において、上位層の信号、および、制御チャネルは、端末装置１、または、基地局装置３の他方により受信されてもよい。送信プロセス３０００において、該送信プロセス３０００を備える端末装置１の機能情報が、上位層の信号、または、制御チャネルを用いて基地局装置３に送信されてもよい。ここで、端末装置１の機能情報とは、端末装置１が備える機能を示す情報であってもよい。端末装置１が備える機能を示す情報は、例えば、端末装置１がサポートする誤り訂正符号化方式を示す情報であってもよい。また、端末装置１が備える機能を示す情報は、基地局装置１から送信されるトランスポートブロックの処理に必要な時間（Processing time）に関連してもよい。また、端末装置１が備える機
能を示す情報は、該端末装置１がトランスポートブロックを送信してから、該トランスポートブロックに対する受信確認応答が受信されることが期待されるまでの期間として、該端末装置１が許容できる最小値であってもよい。また、端末装置１が備える機能を示す情報は、該端末装置１がトランスポートブロックを受信してから、該トランスポートブロックに対する受信確認応答が送信されることが期待されるまでの期間として、該端末装置１が許容できる最小値であってもよい。
【００６０】
以下、符号化処理部３００１の動作の詳細を説明する。
【００６１】
図６は、本実施形態の符号化処理部３００１の構成例を示した図である。符号化処理部３００１は、ＣＲＣ付加（CRC attachment）部４００１、分割およびＣＲＣ付加（Segmentation and CRC）部４０１、符号化（Encoder）部４００２、サブブロックインターリー
バ（Sub-block interleaver）部４００３、ビット収集（Bit collection）部４００４、
ビット選択および切断（Bit selection and pruning）部４００５、結合（Concatenation）部４００６の少なくとも１つを含んで構成される。ここで、分割およびＣＲＣ付加部４０１は、コードブロック分割部４０１１と、１つまたは複数のＣＲＣ付加部４０１２の少なくとも１つを含んで構成される。
【００６２】
トランスポートブロック（ａｋとも呼称される）は、ＣＲＣ付加部４００１に入力されてもよい。ＣＲＣ付加部４００１は、入力されるトランスポートブロックに基づき、誤り検出用の冗長ビットとして、ＣＲＣビットを生成してもよい。生成されたＣＲＣビットはトランスポートブロックに付加される。ＣＲＣビットが付加されたトランスポートブロック（ｂｋとも呼称される）は、ＣＲＣ付加部４００１より出力される。ＣＲＣ付加部４００１において、上位層の信号に含まれる情報に基づき、トランスポートブロックに付加されるＣＲＣビットの数が与えられてもよい。ＣＲＣ付加部４００１において、制御チャネルに含まれる情報に基づき、トランスポートブロックに付加されるＣＲＣビットの数が与えられてもよい。ＣＲＣ付加部４００１において、あらかじめ設定される情報に基づき、トランスポートブロックに付加されるＣＲＣビットの数が与えられてもよい。ＣＲＣ付加部４００１において、誤り訂正符号化の方式に基づき、トランスポートブロックに付加されるＣＲＣビットの数が与えられてもよい。
【００６３】
例えば、ＣＲＣ付加部４００１は、ターボ符号により符号化が施されるトランスポートブロックにＣＲＣビットを付加し、それ以外の誤り訂正符号（例えば、ＬＤＰＣ符号）が適用されるトランスポートブロックにＣＲＣビットを付加しなくてもよい。また、例えば、ＣＲＣ付加部４００１は、ターボ符号が適用されるトランスポートブロックに２４ビットのＣＲＣビットを付加し、それ以外の誤り訂正符号（例えば、ＬＤＰＣ符号）が適用されるトランスポートブロックに２４ビットではない（２４ビット未満、または、２４ビットを超える）ＣＲＣビットを付加してもよい。
【００６４】
例えば、ｂｋは、コードブロック分割部４０１１に入力されてもよい。コードブロック分割部４０１１は、ｂｋを１または複数のコードブロック（Code block）に分割してもよい。例えば、ｂｋがｂｋ＞Ｚを満たす場合に、ｂｋは複数のコードブロックに分割されてもよい。ここで、Ｚは最大コードブロック長である。
【００６５】
最大コードブロック長Ｚは、トランスポートブロックサイズに基づき与えられてもよい。ここで、トランスポートブロックサイズは、トランスポートブロック（または、データブロック、トランスポートデータ、送信データ、送信符号、送信ブロック、ペイロード、情報、情報ブロック等）のサイズ（または、量）を含む。つまり、トランスポートブロックサイズは、データブロックサイズ、トランスポートデータサイズ、送信データサイズ、送信符号サイズ、送信ブロックサイズ、ペイロードサイズ、情報サイズ、情報ブロックサイズ、データブロック量、トランスポートデータ量、送信データ量、送信符号量、送信ブロック量、ペイロード量、情報量、情報ブロック量等であってもよい。例えば、あるトランスポートブロックサイズＮＴＢＳがＮＴＢＳ＞Ｚｔを満たす場合に、最大コードブロック長Ｚ＝Ｚ１であり、ＮＴＢＳ≦Ｚｔを満たす場合に、最大コードブロック長Ｚ＝Ｚ２であってもよい。ここで、Ｚｔ、Ｚ１、Ｚ２は、上位層の信号に含まれる情報に基づき与えられてもよい。また、Ｚｔ、Ｚ１、Ｚ２は、制御チャネルに含まれる情報に基づき与えられてもよい。また、Ｚｔ、Ｚ１、Ｚ２は、あらかじめ設定される情報に基づき与えられてもよい。また、トランスポートブロックの最大コードブロック長Ｚは、該トランスポートブロックサイズと変調方式（ＱＰＳＫ、１６ＱＡＭ、６４ＱＡＭ等）に基づき与えられてもよい。ここで、トランスポートブロックサイズと変調方式に基づく、とは、トランスポートブロックサイズと該トランスポートブロックに適用される変調方式の変調次数（modulation order）の比（または、変調シンボル数に関連する値）に基づくことであってもよい。変調次数は、１つの変調シンボルに対応するビット（スクランブルビット）の数を示す。ＱＰＳＫに対する変調次数は２である。１６ＱＡＭに対する変調次数は４である。６４ＱＡＭに対する変調次数は６である。また、トランスポートブロックの最大コードブロック長Ｚは、該トランスポートブロックのトランスポートブロックサイズと、該トランスポートブロックを含むチャネルに含まれるリソースエレメント数の比に基づき与えられてもよい。ここで、トランスポートブロックのトランスポートブロックサイズは、該トランスポートブロックから生成される少なくとも１つのコードブロックサイズの合計で表されてもよい。また、トランスポートブロックを含むチャネルに含まれるリソースエレメント数は、スケジューリング情報（例えば、下りリンク通信の場合、下りリンクグラントであってもよい。また、上りリンク通信の場合、上りリンクグラントであってもよい）により与えられる、端末装置１に割り当てられるリソースエレメント数で表されてもよい。ここで、端末装置１に割り当てられるリソースエレメント数は、割り当てられたサブキャリア数とシンボル数の積により与えられてもよい。また、端末装置１に割り当てられるリソースエレメント数は、割り当てられたサブキャリア数とシンボル数の積から、所定の領域に含まれるリソースエレメントを差し引いた値として与えられてもよい。ここで、所定の領域は、参照信号チャネルが含まれる領域であってもよい。また、所定の領域は、同期チャネルが含まれる領��であってもよい。
【００６６】
トランスポートブロックの最大コードブロック長Ｚは、コンポーネントキャリア（また
は、コンポーネントキャリアの帯域幅、サービングセル、サービングセルの帯域幅等）に基づき与えられてもよい。例えば、トランスポートブロックの最大コードブロック長Ｚは、該トランスポートブロックを含むチャネルのためのコンポーネントキャリアに基づき与えられてもよい。トランスポートブロックの最大コードブロック長Ｚは、該トランスポートブロックを含むチャネルのためのサービングセルがプライマリセルであるかセカンダリセルであるかに基づき与えられてもよい。ここで、プライマリセルは、プライマリセカンダリセルを含んでもよい。また、セカンダリセルは、プライマリセカンダリセルを含んでもよい。また、例えば、トランスポートブロックの最大コードブロック長Ｚは、該トランスポートブロックを含むチャネルのためのサービングセルがプライマリセカンダリセルであるかに基づき与えられてもよい。また、トランスポートブロックの最大コードブロック長Ｚは、該トランスポートブロックを含むチャネルのためのサービングセルがＳＣＧおよびＭＣＧのいずれに含まれるかに基づき与えられてもよい。トランスポートブロックの最大コードブロック長Ｚは、該トランスポートブロックを含むチャネルのためのサービングセルがライセンス帯域であるかアンライセンス帯域であるかに基づき与えられてもよい。ここで、チャネルのコンポーネントキャリアとは、チャネルが送信されるコンポーネントキャリアであってもよい。また、チャネルのためのコンポーネントキャリアとは、チャネルが送信されるコンポーネントキャリアであってもよい。
【００６７】
トランスポートブロックの最大トランスポートブロック長Ｚは、サービングセルのＩＤ（例えば、物理セルＩＤ（PCID: Physical Cell ID）、仮想セルＩＤ（VCID: Virtual Cell ID）等）に基づき与えられてもよい。トランスポートブロックの最大トランスポート
ブロック長Ｚは、該トランスポートブロックを含むチャネルのためのサービングセルのＩＤに基づき与えられてもよい。
【００６８】
トランスポートブロックの最大コードブロック長Ｚは、周波数ホッピングが適用されるか否かに基づき与えられてもよい。例えば、トランスポートブロックを含むチャネルに周波数ホッピングが適用される場合、該トランスポートブロックの最大コードブロック長Ｚは所定の値より大きい（または、小さい）値であってもよい。また、例えば、トランスポートブロックを含むチャネルに周波数ホッピングが適用されない場合、該トランスポートブロックの最大コードブロック長Ｚは所定の値より小さい（または、大きい）値であってもよい。
【００６９】
トランスポートブロックの最大コードブロック長Ｚは、サブキャリア間隔に基づき与えられてもよい。例えば、トランスポートブロックの最大コードブロック長Ｚは、該トランスポートブロックを含むチャネルのためのサブキャリア間隔に基づいて与えられてもよい。また、トランスポートブロックの最大コードブロック長Ｚは、該トランスポートブロックを含むチャネルのためのサブキャリア間隔が１５ｋＨｚである場合に所定の値であってもよい。また、該トランスポートブロックを含むチャネルのためのサブキャリア間隔が１５ｋＨｚではない場合に所定の値以外の値であってもよい。ここで、チャネルのサブキャリア間隔とは、該チャネルにおいて送信される信号の信号波形におけるサブキャリア間隔であってもよい。また、チャネルのためのサブキャリア間隔とは、該チャネルにおいて送信される信号の信号波形におけるサブキャリア間隔であってもよい。また、１つのチャネルは、複数のサブキャリア間隔を備えてもよい。
【００７０】
トランスポートブロックの最大コードブロック長Ｚは、該トランスポートブロックを含むチャネルのためのＴＴＩ長（またはシンボル数）に基づき与えられてもよい。例えば、トランスポートブロックを含むチャネルのためのＴＴＩ長が１ｍｓより小さい場合、該トランスポートブロックの最大コードブロック長Ｚは所定の値より小さい値であってもよい。また、例えば、トランスポートブロックを含むチャネルのためのＴＴＩ長が１ｍｓより大きい場合、該トランスポートブロックの最大コードブロック長Ｚは所定の値より大きい
値であってもよい。また、トランスポートブロックの最大コードブロック長Ｚは、該トランスポートブロックを含むチャネルのためのシンボル数が１４である場合に所定の値であってもよい。また、トランスポートブロックの最大コードブロック長Ｚは、該トランスポートブロックを含むチャネルのためのシンボル数が１４以外である場合に所定の値以外であってもよい。ここで、該トランスポートブロックを含むチャネルのためのＴＴＩ長（またはシンボル数）は、時間領域における該チャネルの長さ（シンボル数）であってもよい。また、該トランスポートブロックを含むチャネルのＴＴＩ長（またはシンボル数）は、時間領域における該チャネルの長さ（シンボル数）であってもよい。
【００７１】
トランスポートブロックの最大コードブロック長Ｚは、信号波形に基づき決定されてもよい。例えば、トランスポートブロックの最大コードブロック長Ｚが、該トランスポートブロックを含むチャネルの信号波形に基づき与えられてもよい。例えば、トランスポートブロックの最大コードブロック長Ｚは、該トランスポートブロックを含むチャネルの信号波形が所定の信号波形である場合に所定の値であり、該トランスポートブロックを含むチャネルの信号波形が所定の信号波形以外である場合に所定の値以外であってもよい。ここで、例えば、所定の信号波形はＯＦＤＭであってもよい。また、所定の信号波形は、ＤＦＴ-ｓ−ＯＦＤＭであってもよい。
【００７２】
トランスポートブロックの最大コードブロック長Ｚは、該トランスポートブロックに適用される誤り訂正符号（例えば、誤り訂正符号の種類、生成行列の大きさ、生成行列の生成方法、検査行列の大きさ、検査行列の生成方法、符号化率、外符号の有無等）に基づき与えられてもよい。例えば、トランスポートブロックの最大コードブロック長Ｚは、該トランスポートブロックに適用される誤り訂正符号がターボ符号である場合に所定の値であり、該トランスポートブロックに適用される誤り訂正符号がターボ符号以外である場合に所定の値以外の値であってもよい。また、トランスポートブロックの最大コードブロック長Ｚは、該トランスポートブロックに適用される誤り訂正符号の符号化率が１／３である場合に所定の値であり、該トランスポートブロックに適用される誤り訂正符号の符号化率が１／３以外である場合に所定の値以外の値であってもよい。また、例えば、トランスポートブロックの最大コードブロック長Ｚは、該トランスポートブロックに外符号が適用されない場合に所定の値であり、該トランスポートブロックに外符号が適用される場合に所定の値以外の値であってもよい。
【００７３】
ＬＤＰＣ符号の符号化出力は、情報ビット（例えば、トランスポートブロック、コードブロック等）に対して生成行列を乗算することにより与えられてもよい。また、ＬＤＰＣ符号復号化は、検査行列に基づき行われる。例えば、ＬＤＰＣ符号の復号化処理は、検査行列に基づき生成されるグラフ（例えば、ファクターグラフ、ベイジアンネットワーク等）に基づき、確率伝搬法が適用される処理であってもよい。例えば、生成行列をＰＬ、検査行列をＨＬとする場合、ＰＬおよびＨＬは、ＰＬ＊ＨＬ＝０を満たすように与えられてもよい。ここで、ＰＬおよびＨＬは、０または１のみにより構成される行列である。また、ＰＬ＊ＨＬは、ＰＬとＨＬの論理積により与えられる行列演算である。ＰＬ＊ＨＬ＝０の条件により、生成行列ＰＬが与えられれば検査行列ＨＬが生成される。また、ＰＬ＊ＨＬ＝０の条件により、検査行列ＨＬが与えられれば生成行列ＰＬが生成される。
【００７４】
ＬＤＰＣ符号（または、その他のブロック符号等）において、コードブロックサイズは、検査行列、または、生成行列のサイズにより与えられてもよい。つまり、検査行列、または、生成行列のサイズに基づき、コードブロックサイズが与えられてもよい。また、検査行列、または、生成行列のサイズに基づき、トランスポートブロックサイズが与えられてもよい。検査行列、または、生成行列は、上位層の信号に含まれる情報に基づき与えられてもよい。また、検査行列、または、生成行列は、制御チャネルに含まれる情報に基づき与えられてもよい。
【００７５】
トランスポートブロックの最大コードブロック長Ｚは、該トランスポートブロック、および／または、該トランスポートブロックに含まれるコードブロックに付加されるＣＲＣビットの数に基づいて与えられてもよい。例えば、トランスポートブロック、および／または、トランスポートブロックに含まれるコードブロックにＣＲＣビットが付加される場合、該トランスポートブロックの最大コードブロック長Ｚは所定の値であってもよい。例えば、トランスポートブロック、および、トランスポートブロックに含まれるコードブロックにＣＲＣビットが付加されない場合、該トランスポートブロックの最大コードブロック長Ｚは所定の値以外であってもよい。また、例えば、トランスポートブロック、および／または、トランスポートブロックに含まれるコードブロックに付加されるＣＲＣビットが２４ビットである場合、該トランスポートブロックの最大コードブロック長Ｚは所定の値であってもよい。また、トランスポートブロック、および／または、トランスポートブロックに含まれるコードブロックに付加されるＣＲＣビットが２４ビット以外である場合、該トランスポートブロックの最大コードブロック長Ｚは所定の値以外であってもよい。
【００７６】
最大コードブロック長Ｚは、サービングセルに適用される複信方式に基づき与えられてもよい。また、トランスポートブロックの最大コードブロック長Ｚは、トランスポートブロックを含むチャネルのためのサービングセルに適用される複信方式に基づき与えられてもよい。
【００７７】
ここで、所定の値は６１４４であってもよい。また、所定の値は、仕様書等に規定され、端末装置１および基地局装置３の間において既知の値であってもよい。また、所定の値は、基地局装置３より送信される情報に基づいて与えられてもよい。また、所定の値以外の値は、所定の値より小さい値であってもよい。また、所定の値以外の値は、所定の値より大きい値であってもよい。また、所定の値は、あらかじめ端末装置１に設定される値であってもよい。
【００７８】
ここで、最大コードブロック長Ｚは、コードブロック長に読み替えられてもよい。
【００７９】
１つのトランスポートブロックから生成される複数のコードブロックのコードブロック長は、コードブロックごとに等しくてもよい。また、１つのトランスポートブロックを構成する複数のコードブロックのコードブロック長は、コードブロックごとに異なってもよい。ここで、１つのトランスポートブロックを構成する複数のコードブロックのコードブロック長は、コードブロック長とも呼称される。
【００８０】
コードブロック長は、誤り訂正符号化の単位であってもよい。つまり、各々のコードブロックに対して、誤り訂正符号化が施されてもよい。以下では、本発明の一態様として、各々のコードブロックに対して、誤り訂正符号化が施される一例に基づき処理を記載する。一方で、本発明の別の一態様は、複数のコードブロックに対して誤り訂正符号化が施される処理に基づいてもよい。
【００８１】
コードブロック長は、誤り訂正符号の能力を決定する一要因である。例えば、一般にターボ符号およびＬＤＰＣ符号は、コードブロック長が大きいほど誤り訂正能力が高いことが知られている。一方で、一般に誤り訂正符号は、コードブロック長が大きいほど、受信プロセスにおける誤り訂正復号化処理の演算量が増大することが知られている。つまり、コードブロック長は、誤り訂正能力と誤り訂正復号化処理の演算量の少なくとも一方に基づき、設計されてもよい。ここで、受信プロセスとは、送信プロセスに基づき符号化されたトランスポートブロックを復号化する処理である。
【００８２】
コードブロック長は、受信プロセスにおける処理遅延に基づいて設計されてもよい。図
７は、本実施形態の受信プロセスにおける処理遅延の概念を示す図である。図７に示される一例は、トランスポートブロックが５つのコードブロック（Code block#0, #1, #2, #3, #4）に分割された場合の受信プロセスの一例を示している。図７（ａ）は、コードブロック長が小さい場合（図７（ｂ）に示す一例より、コードブロック長が小さい場合）の一例を示している。図７（ｂ）は、コードブロック長が大きい場合（図７（ａ）に示す一例より、コードブロック長が大きい場合）の一例を示している。ここで、トランスポートブロックの受信開始時刻はＴｓである。また、Ｃｏｄｅ  ｂｌｏｃｋ＃ｘの受信完了時刻はＴｒｘ（ｘは０から４のいずれかの値）である。また、Ｃｏｄｅ  ｂｌｏｃｋ＃ｘの復号化処理時間はＴｄｘである。また、図７（ａ）における処理完了時刻はＴｅである。また、図７（ｂ）における処理完了時刻はＴＥである。また、図７（ａ）における処理遅延はＴ０（Ｔ０＝Ｔｅ−Ｔｓ）である。また、図７（ｂ）における処理遅延はＴ１（Ｔ１＝ＴＥ−Ｔｓ）である。
【００８３】
コードブロック長を考慮すれば、Ｔｒ０は、Ｔｒ３よりも早いことが期待される。そのため、Ｃｏｄｅ  ｂｌｏｃｋ＃０の復号化開始は、Ｃｏｄｅ  ｂｌｏｃｋ＃３の復号化開始よりも早くなることが期待される。つまり、コードブロック長が短いことは、受信プロセスにおける復号化処理の早期開始を実現する。復号化処理の早期開始は、処理遅延Ｔ０の短縮に寄与することが期待される。これは、同時に複数のＣｏｄｅ  ｂｌｏｃｋの復号化処理を行えない場合、または、Ｃｏｄｅ  ｂｌｏｃｋの復号化処理の同時進行数が限定されている場合等に顕著であることが期待される。
【００８４】
図７（ａ）に示される一例と、図７（ｂ）に示される一例において、Ｔｒ２およびＴｒ４は、Ｔｒ２＝Ｔｒ４となることを仮定する。この場合、コードブロック長の関係からＴｄ２＜Ｔｄ４であるため、Ｔｅ＜ＴＥとなることが期待される。つまり、コードブロック長が短いことは、受信プロセスの復号化処理の早期終了を実現する一要因となり得る。復号化処理の早期終了により、処理遅延Ｔ０短縮に寄与することが期待される。
【００８５】
コードブロック分割部４０１１は、Ｃ’個（Ｃ’は１以上の整数）のコードブロック（Ｃ０ｋ〜ＣＣ’ｋ）を出力してもよい。
【００８６】
コードブロックは、ＣＲＣ付加部４０１２に入力されてもよい。ＣＲＣ付加部４０１２は、コードブロックに基づきＣＲＣビットを生成してもよい。また、ＣＲＣ付加部４０１２は、生成したＣＲＣビットをコードブロックに付加してもよい。また、ＣＲＣ付加部４０１２は、コードブロックにＣＲＣビットが付加された系列（ｃ０ｋ〜ｃＣ’ｋ）を出力してもよい。ここで、コードブロック分割が施されなかった場合（Ｃ’＝１の場合）、ＣＲＣ付加部４０１２は、コードブロックに対してＣＲＣを付加しなくてもよい。
【００８７】
ＣＲＣ付加部４０１２において、上位層の信号に含まれる情報に基づき、コードブロックに付加されるＣＲＣビットの数が与えられてもよい。ＣＲＣ付加部４０１２において、制御チャネルに含まれる情報に基づき、コードブロックに付加されるＣＲＣビットの数が与えられてもよい。ＣＲＣ付加部４０１２において、あらかじめ設定される情報に基づき、コードブロックに付加されるＣＲＣビットの数が与えられてもよい。ＣＲＣ付加部４０１２において、誤り訂正符号化の種類に基づき、コードブロックに付加されるＣＲＣビットの数が与えられてもよい。
【００８８】
ＣＲＣ付加部４０１２より出力されるコードブロックは、それぞれ符号化部４００２に入力される。Ｃ’＞１の場合、符号化部４００２への入力は、逐次的に選択されるコードブロックである。以下では、符号化部４００２に入力される１つのコードブロックのそれぞれ（Ｃ０ｋ〜ＣＣ’ｋ）を、Ｃｋとも呼称する。
【００８９】
符号化部４００２は、入力されるコードブロックＣｋに対して誤り訂正符号化を施す機能を備える。例えば、誤り訂正符号化はターボ符号、ＬＤＰＣ符号、Ｐｏｌａｒ符号、畳み込み符号（例えば、TBCC: Tail biting convolutional code）等）、ＲＭ符号（Reed-Muller code）、繰り返し符号、リードソロモン符号、巡回符号、パリティ検査符号等でもよい。符号化部４００２は、コードブロックＣｋに対して誤り訂正符号化処理を施し、符号化ビット（Coded bit）を出力してもよい。出力される符号化ビットはｄｋ（０）、ｄ
ｋ（１）、ｄｋ（２）であってもよい。ここで、ｄｋ（０）は、組織ビット（systematic
bit）であってもよい。ｄｋ（１）およびｄｋ（２）は、パリティビット（parity bit）であってもよい。符号化ビットは、サブブロックとも呼称される。符号化部４００２より出力されるサブブロックの個数は、ｄｋ（０）、ｄｋ（１）、ｄｋ（２）の３つではなく、２つ以下、または４つ以上であってもよい。
【００９０】
ＬＤＰＣ符号化は、ＱＣ−ＬＤＰＣ（Quasi-Cyclic - Low Density Parity Check）符
号化であってもよい。ＬＤＰＣ符号化は、ＬＤＰＣ−ＣＣ（Low Density Parity Check -
Convolutionalcodes）符号化であってもよい。ＬＤＰＣ符号化は、１組の組織ビットｄ
ｓと１組のパリティビットｄｐを生成する符号化方式であってもよい。ここで、誤り訂正符号の方式が非組織符号の場合、１組のビットｄｓを生成する符号化方式であってもよい。
【００９１】
符号化部４００２は、ＬＤＰＣ符号化により生成されるビットｄｓ、および／または、ｄｐをｄｋ（０）、ｄｋ（１）、ｄｋ（２）にマップする機能を備えてもよい。例えば、符号化率１／３の場合、コードブロック長Ｋに対して、Ｋビットの組織ビットおよび２Ｋビットのパリティビットが生成されてもよい。例えば、組織ビットｄｓ（ｋ）は、ｄｋ（０）にマップされ、パリティビットｄｐ（２ｋ）は、ｄｋ（１）にマップされ、パリティビットｄｐ（２ｋ＋１）は、ｄｋ（２）にマップされてもよい。ここで、ｄｓ（ｋ）は、組織ビットｄｓのｋ番目のビットである。また、ｄｐ（ｋ）は、パリティビットｄｐのｋ番目のビットである。つまり、ＬＤＰＣ符号により生成されるビットは、サブブロックインターリーバの個数（または３）に基づきマップされてもよい。
【００９２】
符号化部４００２より出力される符号化ビットは、サブブロックインターリーバ部４００３に入力されてもよい。符号化部４００２より出力される符号化ビットは、ビット収集部４００４に入力されてもよい。符号化ビットがサブブロックインターリーバ部４００３とビット収集部４００４のいずれに入力されるかは、上位層の信号、または、制御チャネルに含まれる情報に基づき与えられてもよい。符号化ビットがサブブロックインターリーバ部４００３とビット収集部４００４のいずれに入力されるかは、シンボルの長さ、信号波形、誤り訂正符号の方式、コンポーネントキャリアの少なくとも１つに基づき与えられてもよい。符号化部４００２より出力される符号化ビットがサブブロックインターリーバ部４００３に入力されることは、符号化ビットに対してサブブロックインターリーバが適用されることを意味する。符号化部４００２より出力される符号化ビットがビット収集部４００４に入力されることは、符号化ビットに対してサブブロックインターリーバが適用されないことを意味する。
【００９３】
コードブロックに適用される誤り訂正符号は、上位層の信号に含まれる情報に基づき与えられてもよい。コードブロックに適用される誤り訂正符号は、制御チャネルに含まれる情報に基づき与えられてもよい。コードブロックに適用される誤り訂正符号は、該コードブロックを含むチャネルのための信号波形に基づき与えられてもよい。コードブロックに適用される誤り訂正符号は、該コードブロックを含むチャネルのためのサブキャリア間隔に基づき与えられてもよい。コードブロックに適用される誤り訂正符号は、あらかじめ設定される情報に基づき与えられてもよい。
【００９４】
符号化ビットは、サブブロックインターリーバ部４００３に入力されてもよい。サブブロックインターリーバ部４００３は、符号化ビットの配列を変更してもよい。図８は、本実施形態のサブブロックインターリーバ部４００３による符号化ビット配列変更の一例を示した図である。サブブロックインターリーバ部４００３は、符号化ビットを２次元のブロックＢにマップしてもよい。ここで、ブロックＢは１次元でも３次元でも３次元以上でもよい。例えば、ブロックＢは、第１の軸と第２の軸を備えてもよい。ここで、第１の軸は、横軸、または、列（column）とも呼称される。第２の軸は、縦軸、または、行（row
）とも呼称される。ブロックＢにおいて、ある第１の軸の一点およびある第２の軸の一点により特定される点は要素とも呼称される。ここで、１つの要素は１つの符号化ビットであってもよい（または、１つの符号化ビットに対応してもよい）。サブブロックインターリーバ部４００３は、符号化ビットを第１の軸を優先してマップ（write）してもよい。
ここで、図８（ａ）に示されるマップ方法は、第１の軸を優先してマップする方法の一例を示している。つまり、第１の軸を優先してマップされるとは、以下の手順（または、以下の手順に基づく繰り返し）に基づきマップされることである。
（１）第２の軸の一点（１行）に対して、第１の軸の方向にマップされる。
（２）第２の軸の次の一点に対して、第１の軸の方向にマップされる。
【００９５】
例えば、第１の軸が時間軸であり、第２の軸が周波数軸である場合、第１の軸を優先してマップされるとは、時間軸を優先してマップされることを意味する（Time first mapping）。一方、第２の軸を優先してマップされるとは、周波数軸を優先してマップされることを意味する（Frequency first mapping）。
【００９６】
ここで、第１の軸の列数は３２であり、第２の軸の行数は符号化ビットを３２で割った値を下回らない条件における最小の整数値であってもよい。符号化ビットを第１の軸を優先してマップする場合に、符号化ビットがマップされない要素にｎｕｌｌ（またはダミービット）がマップされてもよい。
【００９７】
例えば、サブブロックインターリーバ部４００３は、入力に基づき、異なる処理を施す機能を備えてもよい。入力がｄｋ（０）またはｄｋ（１）の場合、ブロックＢに対して順列パターン（Permutation pattern）が適用されなくてもよい。一方、入力がｄｋ（２）
の場合、ブロックＢに対して順列パターンが適用されてもよい。つまり、サブブロックインターリーバ部４００３は、入力される符号化ビットに基づき、順列パターンの適用が切り替えられてもよい。順列パターンの適用は、第１の軸の順番を並び替える処理であってもよい。例えば、順列パターンＰはＰ＝［０、１６、８、２４、４、２０、１２、２８、２、１８、１０、２６、６、２２、１４、３０、１、１７、９、２５、５、２１、１３、２９、３、１９、１１、２７、７、２３、１５、３１］であってもよい。
【００９８】
例えば、サブブロックインターリーバ部４００３は、ブロックＢにマップされた符号化ビットを、第２の軸を優先して取得（read）してもよい。ここで、図８（ｂ）に示されるマップ方法は、第２の軸を優先してマップする方法の一例を示している。サブブロックインターリーバ部４００３は、第２の軸を優先して取得される再配置ビット（例えば、ｖｋ（０）、ｖｋ（１）、ｖｋ（２））を出力する。
【００９９】
例えば、符号化ビットが第１の軸を優先してマッピングされ、第２の軸を優先して取得される場合、サブブロックインターリーバ部４００３に入力される符号化ビットと再配置ビットの順序が入れ替わる。言い換えれば、サブブロックインターリーバ部４００３は、符号化ビットと再配置ビットの順序を入れ替える機能を備えてもよい。ここで、ブロックＢにマッピングされる場合に優先される軸と、ブロックＢから取得される場合に優先される軸とが異なる場合、サブブロックインターリーバ部４００３における操作を、配置切り替え（または、インターリーブ、再配置等）とも呼称する。なお、ブロックＢにマッピン
グされる場合に優先される軸と、ブロックＢから取得される場合に優先される軸とが同じ場合、サブブロックインターリーバ部４００３において、配置切り替えは行われない（サブブロックインターリーバ部４００３に入力される符号化ビットと再配置ビットの順序が入れ替わらない）。
【０１００】
例えば、サブブロックインターリーバ部４００３による符号化ビットの配置切り替えが行われるか否かは、トランスポートブロックサイズ（または、符号化ビット数）に基づき与えられてもよい。例えば、トランスポートブロックサイズＮＴＢＳがＮＴＢＳ＞Ｚｔを満たす場合に、サブブロックインターリーバ部４００３による符号化ビットの配置切り替えが行われてもよい。また、トランスポートブロックサイズＮＴＢＳがＮＴＢＳ≦Ｚｔを満たす場合に、サブブロックインターリーバ部４００３による符号化ビットの配置切り替えが行われなくてもよい。また、サブブロックインターリーバ部４００３による符号化ビットの配置切り替えが行われるか否かは、該符号化ビットを含むトランスポートブロックのトランスポートブロックサイズと変調方式（ＱＰＳＫ、１６ＱＡＭ、６４ＱＡＭ等）に基づき与えられてもよい。ここで、トランスポートブロックサイズと変調方式に基づく、とは、トランスポートブロックサイズと該トランスポートブロックに適用される変調方式の変調次数の比（または、変調シンボル数に関連する値）に基づくことであってもよい。また、サブブロックインターリーバ部４００３による符号化ビットの配置切り替えが行われるか否かは、該符号化ビットを含むトランスポートブロックのトランスポートブロックサイズと、該符号化ビットを含むトランスポートブロックを含むチャネルのリソースエレメント数の比に基づき与えられてもよい。ここで、トランスポートブロックのトランスポートブロックサイズは、該トランスポートブロックから生成される少なくとも１つのコードブロックサイズの合計で表されてもよい。また、トランスポートブロックを含むチャネルに含まれるリソースエレメント数は、スケジューリング情報（例えば、下りリンク通信の場合、下りリンクグラントであってもよい。また、上りリンク通信の場合、上りリンクグラントであってもよい）により与えられる、端末装置１に割り当てられるリソースエレメント数で表されてもよい。ここで、端末装置１に割り当てられるリソースエレメント数は、割り当てられたサブキャリア数とシンボル数の積により与えられてもよい。また、端末装置１に割り当てられるリソースエレメント数は、割り当てられたサブキャリア数とシンボル数の積から、所定の領域に含まれるリソースエレメントを差し引いた値として与えられてもよい。ここで、所定の領域は、参照信号チャネルが含まれる領域であってもよい。また、所定の領域は、同期チャネルが含まれる領域であってもよい。
【０１０１】
例えば、サブブロックインターリーバ部４００３による符号化ビットの配置切り替えが行われるか否かは、コンポーネントキャリア（または、サービングセル、サービングセルの帯域幅等）に基づき与えられてもよい。例えば、サブブロックインターリーバ部４００３による符号化ビットの配置切り替えが行われるか否かは、該符号化ビットを含むチャネルのためのコンポーネントキャリアに基づき与えられてもよい。サブブロックインターリーバ部４００３による符号化ビットの配置切り替えが行われるか否かは、該符号化ビットを含むチャネルのためのサービングセルがプライマリセルであるかセカンダリセルであるかに基づき与えられてもよい。ここで、プライマリセルは、プライマリセカンダリセルを含んでもよい。また、セカンダリセルは、プライマリセカンダリセルを含んでもよい。また、例えば、サブブロックインターリーバ部４００３による符号化ビットの配置切り替えが行われるか否かは、該符号化ビットを含むチャネルのためのセルがプライマリセカンダリセルであるかに基づき与えられてもよい。サブブロックインターリーバ部４００３による符号化ビットの配置切り替えが行われるか否かは、該符号化ビットを含むチャネルのためのサービングセルがＳＣＧとＭＣＧのいずれに含まれるかに基づき与えられてもよい。サブブロックインターリーバ部４００３による符号化ビットの配置切り替えが行われるか否かは、該符号化ビットを含むチャネルのためのサービングセルがライセンス帯域であるかアンライセンス帯域であるかに基づき与えられてもよい。
【０１０２】
サブブロックインターリーバ部４００３による符号化ビットの配置切り替えが行われるか否かは、サービングセルのＩＤに基づき与えられてもよい。サブブロックインターリーバ部４００３による符号化ビットの配置切り替えが行われるか否かは、該符号化ビットを含むチャネルのためのサービングセルのＩＤに基づき与えられてもよい。
【０１０３】
サブブロックインターリーバ部４００３による符号化ビットの配置切り替えが行われるか否かは、該符号化ビットを含むチャネルに周波数ホッピングが適用されるか否かに基づき与えられてもよい。例えば、符号化ビットを含むチャネルに周波数ホッピングが適用される場合、サブブロックインターリーバ部４００３により、該符号化ビットの配置切り替えが行われてもよい。また、例えば、符号化ビットを含むチャネルに周波数ホッピングが適用されない場合、サブブロックインターリーバ部４００３により、該符号化ビットの配置切り替えが行われなくてもよい。
【０１０４】
サブブロックインターリーバ部４００３による符号化ビットの配置切り替えが行われるか否かは、サブキャリア間隔に基づき与えられてもよい。例えば、サブブロックインターリーバ部４００３による符号化ビットの配置切り替えが行われるか否かは、該符号化ビットを含むチャネルのためのサブキャリア間隔に基づいて与えられてもよい。例えば、符号化ビットを含むチャネルのためのサブキャリア間隔が１５ｋＨｚである場合、サブブロックインターリーバ部４００３により、該符号化ビットの配置切り替えが行われてもよい。また、符号化ビットを含むチャネルのためのサブキャリア間隔が１５ｋＨｚではない場合、サブブロックインターリーバ部４００３により、該符号化ビットの配置切り替えが行われなくてもよい。
【０１０５】
サブブロックインターリーバ部４００３による符号化ビットの配置切り替えが行われるか否かは、該符号化ビットを含むチャネルのためのＴＴＩ長（またはシンボル数）に基づき与えられてもよい。例えば、符号化ビットを含むチャネルのためのＴＴＩ長が１ｍｓより小さい場合、サブブロックインターリーバ部４００３により、該符号化ビットの配置切り替えが行われてもよい。また、符号化ビットを含むチャネルのためのＴＴＩ長が１ｍｓより大きい場合、サブブロックインターリーバ部４００３により、該符号化ビットの配置切り替えが行われなくてもよい。また、符号化ビットを含むチャネルのためのＴＴＩ長が１ｍｓより小さい場合、サブブロックインターリーバ部４００３により、該符号化ビットの配置切り替えが行われなくてもよい。また、符号化ビットを含むチャネルのためのＴＴＩ長が１ｍｓより大きい場合、サブブロックインターリーバ部４００３により、該符号化ビットの配置切り替えが行われてもよい。また、サブブロックインターリーバ部４００３による符号化ビットの配置切り替えが行われるか否かは、該符号化ビットを含むチャネルのためのシンボル数が１４であるか否かに基づき与えられてもよい。例えば、符号化ビットを含むチャネルのシンボル数が１４より小さい場合、サブブロックインターリーバ部４００３により、該符号化ビットの配置切り替えが行われてもよい。また、符号化ビットを含むチャネルのシンボル数が１４より大きい場合、サブブロックインターリーバ部４００３により、該符号化ビットの配置切り替えが行われなくてもよい。また、符号化ビットを含むチャネルのシンボル数が１４より小さい場合、サブブロックインターリーバ部４００３により、該符号化ビットの配置切り替えが行われなくてもよい。また、符号化ビットを含むチャネルのシンボル数が１４より大きい場合、サブブロックインターリーバ部４００３により、該符号化ビットの配置切り替えが行われてもよい。
【０１０６】
サブブロックインターリーバ部４００３による符号化ビットの配置切り替えが行われるか否かは、信号波形に基づき与えられてもよい。例えば、サブブロックインターリーバ部４００３による符号化ビットの配置切り替えが行われるか否かは、該符号化ビットを含むチャネルのための信号波形に基づき与えられてもよい。例えば、符号化ビットを含むチャ
ネルの信号波形が所定の信号波形である場合、サブブロックインターリーバ部４００３により、該符号化ビットの配置切り替えが行われてもよい。また、符号化ビットを含むチャネルの信号波形が所定の信号波形以外である場合、サブブロックインターリーバ部４００３により、該符号化ビットの配置切り替えが行われなくてもよい。ここで、例えば、所定の信号波形はＯＦＤＭであってもよい。また、所定の信号波形は、ＤＦＴ-ｓ−ＯＦＤＭ
であってもよい。
【０１０７】
サブブロックインターリーバ部４００３による符号化ビットの配置切り替えが行われるか否かは、該符号化ビットを含むトランスポートブロックに適用される誤り訂正符号（例えば、誤り訂正符号の種類、検査行列の大きさ、検査行列の生成方法、符号化率、外符号の有無等）に基づき与えられてもよい。例えば、符号化ビットを含むトランスポートブロックに適用される誤り訂正符号がターボ符号である場合、サブブロックインターリーバ部４００３により、該符号化ビットの配置切り替えが行われてもよい。また、符号化ビットを含むトランスポートブロックに適用される誤り訂正符号がターボ符号以外である場合、サブブロックインターリーバ部４００３により、該符号化ビットの配置切り替えが行われなくてもよい。また、符号化ビットを含むトランスポートブロックに適用される誤り訂正符号の符号化率が１／３である場合、サブブロックインターリーバ部４００３により、符号化ビットの配置切り替えが行われてもよい。また、符号化ビットを含むトランスポートブロックに適用される誤り訂正符号の符号化率が１／３以外である場合、サブブロックインターリーバ部４００３により、符号化ビットの配置切り替えが行われなくてもよい。また、符号化ビットを含むトランスポートブロックに外符号が適用されない場合、サブブロックインターリーバ部４００３により、符号化ビットの配置切り替えが行われてもよい。また、符号化ビットを含むトランスポートブロックに外符号が適用される場合、サブブロックインターリーバ部４００３により、符号化ビットの配置切り替えが行われなくてもよい。
【０１０８】
サブブロックインターリーバ部４００３による符号化ビットの配置切り替えが行われるか否かは、該符号化ビットを含むトランスポートブロック、および／または、該符号化ビットの生成に用いられるコードブロックに付加されるＣＲＣビットの数に基づいて与えられてもよい。例えば、符号化ビットを含むトランスポートブロック、および／または、符号化ビットの生成に用いられるコードブロックに付加されるＣＲＣビットが付加される場合、サブブロックインターリーバ部４００３により、該符号化ビットの配置切り替えが行われてもよい。また、符号化ビットを含むトランスポートブロック、および／または、符号化ビットの生成に用いられるコードブロックに付加されるＣＲＣビットが付加されない場合、サブブロックインターリーバ部４００３により、該符号化ビットの配置切り替えが行われなくてもよい。また、符号化ビットを含むトランスポートブロック、および／または、符号化ビットの生成に用いられるコードブロックに付加されるＣＲＣビットが２４ビットである場合、サブブロックインターリーバ部４００３により、該符号化ビットの配置切り替えが行われてもよい。また、符号化ビットを含むトランスポートブロック、および／または、符号化ビットの生成に用いられるコードブロックに付加されるＣＲＣビットが２４ビット以外である場合、サブブロックインターリーバ部４００３により、該符号化ビットの配置切り替えが行われなくてもよい。
【０１０９】
例えば、サブブロックインターリーバ部４００３による符号化ビットの配置切り替えが行われるか否かは、サービングセルのための複信方式に基づき与えられてもよい。また、サブブロックインターリーバ部４００３による符号化ビットの配置切り替えが行われるか否かは、該符号化ビットを含むトランスポートブロックを含むチャネルのためのサービングセルに適用される複信方式に基づき与えられてもよい。
【０１１０】
ここで、符号化ビットの配置切り替えにおけるマッピングのために優先される軸は時間
軸であってもよい（Time first mapping）。また、符号化ビットの配置切り替えにおけるマッピングのために優先される軸は周波数軸であってもよい（Frequency first mapping
）。
【０１１１】
例えば、再配置ビットは、ビット収集部４００４に入力されてもよい。ビット収集部４００４は、再配置ビットに基づき、仮想巡回バッファ（Virtual circular buffer）を生
成する機能を備えてもよい。仮想巡回バッファｗｋは、ｗｋ＝ｖｋ（０）、ｗＫΠ＋２ｋ＝ｖｋ（１）、ｗＫΠ＋２ｋ＋１＝ｖｋ（２）に基づき生成されてもよい。ここで、ＫΠは、ブロックＢ全体の要素数であり、Ｋｗは、Ｋｗ＝３ＫΠで示される値である。ビット収集部４００４は、仮想巡回バッファｗｋを出力する。
【０１１２】
例えば、仮想巡回バッファは、ビット選択および切断部４００５に入力されてもよい。また、ビット選択および切断部４００５は、無線リソース数に基づき、仮想巡回バッファ内のビットを選択する機能を備えてもよい。ここで、無線リソース数は、スケジューリング情報に基づき与えられるリソースエレメント数であってもよい。ここで、リソースエレメント数は、割り当てられたサブキャリア数とシンボル数の積により与えられてもよい。割り当てられたサブキャリア数、または、割り当てられたシンボル数は、基地局装置３より送信されるＤＣＩに含まれる情報に基づき与えられてもよい。また、リソースエレメント数は、割り当てられたサブキャリア数とシンボル数の積から、所定の領域に含まれるリソースエレメントを差し引いた値として与えられてもよい。ここで、所定の領域は、参照信号チャネルが含まれる領域であってもよい。また、所定の領域は、同期チャネルが含まれる領域であってもよい。また、仮想巡回バッファ内のビット選択は、インデックスｋ０を開始地点とし、仮想巡回バッファｗｋ内のビットを巡回的に取得することにより行われてもよい。ここで、取得されたビットは、ｅｋとも呼称される。ビット選択および切断部４００５は、ｅｋを出力する。例えば、ｋ０は、ｋ０＝３２＊（２＊Ｃｅｉｌ（Ｎｃｂ／（８＊ＲＴＣ））＊ｒｖｉｄｘ＋２）で表されてもよい。ここで、Ｃｅｉｌ（＊）は、＊を下回らない条件で最小の整数を取得する関数である。ｒｖｉｄｘは、リダンダンシーバージョン（Redundancy version）である。リダンダンシーバージョンは、基地局装置３より送信されるＤＣＩに含まれるＭＣＳ情報、および／または、新データ指標（NDI; New Data Indicator）により決定される。Ｎｃｂは、ソフトバッファサイズである。Ｎｃｂは
、下りリンク通信の場合に、Ｎｃｂ＝ｍｉｎ（ｆｌｏｏｒ（ＮＩＲ／Ｃ’）、Ｋｗ）であってもよく、上りリンク通信の場合に、Ｎｃｂ＝Ｋｗであってもよい。ここで、ｍｉｎ（Ａ、Ｂ）は、ＡとＢのうち小さい方が選択される関数である。また、ｆｌｏｏｒ（＊）は、＊を上回らない最大の整数である。
【０１１３】
例えば、ｅｋは、結合部４００６に入力されてもよい。また、結合部４００６は、Ｃ’個のコードブロックを結合して結合ビットを生成する機能を備えてもよい。結合ビットは、ｆｋとも呼称される。
【０１１４】
以下、上りリンクの場合を例にとり、符号化処理部３００１の処理を説明する。なお、下りリンク通信の場合でも、符号化処理部３００１は、制御情報およびデータ多重（Control and data multiplexing）部４００７、および／または、チャネルインターリーバ（Channel interleaver）部４００８の少なくとも１つを備える構成であってもよい。
【０１１５】
図９は、本実施形態の上りリンクにおける符号化処理部３００１に含まれる制御情報およびデータ多重（Control and data multiplexing）部４００７、チャネルインターリー
バ（Channel interleaver）部４００８の構成例の一部を示す図である。上りリンクにお
いて、符号化処理部３００１は、制御情報およびデータ多重（Control and data multiplexing）部４００７、チャネルインターリーバ（Channel interleaver）部４００８の少なくとも１つを含んでもよい。例えば、上りリンクにおいて、符号化処理部３００１の結合
部４００６より出力される結合ビットｆｋは、上りリンク制御情報（UCI: Uplink Control Information）とともに、符号化処理部３００１の制御情報およびデータ多重部４００
７に入力されてもよい。ここで、制御情報およびデータ多重部４００７に入力される上りリンク制御情報はｑ０とも呼称される。ｑ０は、例えば、チャネル状態情報（CSI: Chanel State Information）の符号化ビットであってもよい。チャネル状態情報は、チャネル
品質情報（CQI: Channel Quality Information）、プレコーダ行列指標（PMI: Precoding
Matrix Indicator）、ランク指標（RI: Rank Indicator）を含んでもよい。また、ｑ０
は、例えば、下りリンク通信における受信確認応答（ACK: ACKnowledgement）の符号化ビットであってもよい。また、制御情報およびデータ多重部４００７は、ｆｋおよびｑ０を多重して、多重ビットｇｋを出力してもよい。また、制御情報およびデータ多重部４００７にｑ０が入力されない場合、制御情報およびデータ多重部４００７が出力する多重ビットｇｋは、ｇｋ＝ｆｋであってもよい。
【０１１６】
例えば、多重ビットｇｋは符号化処理部３００１のチャネルインターリーバ部４００８に入力されてもよい。ここで、上りリンク制御情報の符号化ビットｑ１、および／または、上りリンク制御情報の符号化ビットｑ２がチャネルインターリーバ部に入力されてもよい。チャネルインターリーバ部４００８は、多重ビットｇｋをブロックＢ１にマップしてもよい。ここで、ブロックＢ１は、該ブロックＢ１の列数と行数を除いてブロックＢと同じである。例えば、ブロックＢ１の第１の軸の列数Ｃｍｕｘは１２であってもよい。また、第２の軸の行数Ｒ’ｍｕｘはＨ／Ｃｍｕxであってもよい。ここで、Ｈは、ｇｋ＋ｑ１
ビット数であってもよい。また、ＣｍｕｘおよびＲ’ｍｕｘは、Ｈ＝Ｃｍｕｘ＊Ｒ’ｍｕｘの関係を満たすように与えられてもよい。また、ブロックＢ１の１つの要素は、１つの多重ビットであってもよい（または、１つの多重ビットに対応してもよい）。
【０１１７】
チャネルインターリーバ部４００８にｑ１が入力された場合、チャネルインターリーバ部４００８は、ブロックＢ１の所定の要素にｑ１をマップしてもよい。所定の要素は、あらかじめ定義された位置により示される要素であってもよい。また、所定の要素は、上位層の信号に含まれる情報に基づき与えられてもよい。また、所定の要素は、制御チャネルに含まれる情報に基づき与えられてもよい。チャネルインターリーバ部４００８におけるブロックＢ１において、１つの要素は１つのグループに対応してもよい。該１つのグループは、トランスポートブロックに対応する変調方式の変調次数と同じ数の符号化ビットを含んでもよい。
【０１１８】
チャネルインターリーバ部４００８は、ブロックＢ１に対して、ｇｋを第１の軸を優先してマップしてもよい。チャネルインターリーバ部４００８は、ｑ１がマップされた要素にｇｋをマップしなくてもよい。
【０１１９】
チャネルインターリーバ部４００８にｑ２が入力された場合、チャネルインターリーバ部４００８は、所定の要素にｑ２をマップしてもよい。所定の要素は、あらかじめ定義された位置であってもよい。また、所定の要素は、上位層の信号に含まれる情報に基づき与えられてもよい。また、所定の要素は、制御チャネルに含まれる情報に基づき与えられてもよい。ここで、所定の要素にすでにｑ１またはｇｋがマップされている場合、ｑ１またはｇｋはパンクチャ（puncture）されてもよい。ここで、ｑ１がマップされる所定の要素とｑ２がマップされる所定の要素は異なってもよい。
【０１２０】
チャネルインターリーバ部４００８は、ブロックＢ１内にマップされた要素を、第２の軸を優先して取得してもよい（つまり、配置切り替えが行われてもよい）。チャネルインターリーバ部４００８は、ブロックＢ１内にマップされた要素を、第１の軸を優先して取得してもよい（つまり、配置切り替えが行われなくてもよい）。チャネルインターリーバ部４００８が取得する要素は、ｈｋとも呼称される。
【０１２１】
例えば、チャネルインターリーバ部４００８による多重ビットの配置切り替えが行われるか否かは、トランスポートブロックサイズ（または、符号化ビット数）に基づき与えられてもよい。例えば、トランスポートブロックサイズＮＴＢＳがＮＴＢＳ＞Ｚｔを満たす場合に、チャネルインターリーバ部４００８による多重ビットの配置切り替えが行われてもよい。また、トランスポートブロックサイズＮＴＢＳがＮＴＢＳ≦Ｚｔを満たす場合に、チャネルインターリーバ部４００８による多重ビットの配置切り替えが行われなくてもよい。ここで、Ｚｔ、Ｚ１、Ｚ２は、上位層の信号に含まれる情報に基づき与えられてもよい。ここで、Ｚｔ、Ｚ１、Ｚ２は、制御チャネルに含まれる情報に基づき与えられてもよい。また、Ｚｔ、Ｚ１、Ｚ２は、あらかじめ設定される情報に基づき与えられてもよい。また、チャネルインターリーバ部４００８による多重ビットの配置切り替えが行われるか否かは、該多重ビットを含むトランスポートブロックサイズと変調方式（ＱＰＳＫ、１６ＱＡＭ、６４ＱＡＭ等）に基づき与えられてもよい。ここで、トランスポートブロックサイズと変調方式に基づく、とは、トランスポートブロックサイズと該トランスポートブロックに適用される変調方式の変調次数の比（または、変調シンボル数に関連する値）に基づくことであってもよい。また、チャネルインターリーバ部４００８による多重ビットの配置切り替えが行われるか否かは、該多重ビットを含むトランスポートブロックのトランスポートブロックサイズと、該多重ビットを含むトランスポートブロックを含むチャネルのリソースエレメント数の比に基づき与えられてもよい。ここで、トランスポートブロックのトランスポートブロックサイズは、該トランスポートブロックから生成される少なくとも１つのコードブロックサイズの合計で表されてもよい。また、トランスポートブロックを含むチャネルに含まれるリソースエレメント数は、スケジューリング情報（例えば、下りリンク通信の場合、下りリンクグラントであってもよい。また、上りリンク通信の場合、上りリンクグラントであってもよい）により与えられる、端末装置１に割り当てられるリソースエレメント数で表されてもよい。ここで、端末装置１に割り当てられるリソースエレメント数は、割り当てられたサブキャリア数とシンボル数の積により与えられてもよい。また、端末装置１に割り当てられるリソースエレメント数は、割り当てられたサブキャリア数とシンボル数の積から、所定の領域に含まれるリソースエレメントを差し引いた値として与えられてもよい。ここで、所定の領域は、参照信号チャネルが含まれる領域であってもよい。また、所定の領域は、同期チャネルが含まれる領域であってもよい。
【０１２２】
例えば、チャネルインターリーバ部４００８による多重ビットの配置切り替えが行われるか否かは、コンポーネントキャリア（または、サービングセル、サービングセルの帯域幅等）に基づき与えられてもよい。例えば、チャネルインターリーバ部４００８による多重ビットの配置切り替えが行われるか否かは、該多重ビットを含むチャネルのためのコンポーネントキャリアに基づき与えられてもよい。チャネルインターリーバ部４００８による多重ビットの配置切り替えが行われるか否かは、該多重ビットを含むチャネルのためのセルがプライマリセルであるかセカンダリセルであるかに基づき与えられてもよい。ここで、プライマリセルは、プライマリセカンダリセルを含んでもよい。また、セカンダリセルは、プライマリセカンダリセルを含んでもよい。また、例えば、チャネルインターリーバ部４００８による多重ビットの配置切り替えが行われるか否かは、該多重ビットを含むチャネルのためのセルがプライマリセカンダリセルであるかに基づき与えられてもよい。チャネルインターリーバ部４００８による多重ビットの配置切り替えが行われるか否かは、該多重ビットを含むチャネルのためのサービングセルがＳＣＧに含まれるかＭＣＧに含まれるかに基づき与えられてもよい。チャネルインターリーバ部４００８による多重ビットの配置切り替えが行われるか否かは、該多重ビットを含むチャネルのためのサービングセルがライセンス帯域であるかアンライセンス帯域であるかに基づき与えられてもよい。
【０１２３】
チャネルインターリーバ部４００８による多重ビットの配置切り替えが行われるか否かは、サービングセルのＩＤに基づき与えられてもよい。チャネルインターリーバ部４００
８による多重ビットの配置切り替えが行われるか否かは、該多重ビットを含むチャネルのためのサービングセルのＩＤに基づき与えられてもよい。
【０１２４】
チャネルインターリーバ部４００８による多重ビットの配置切り替えが行われるか否かは、該多重ビットを含むチャネルに周波数ホッピングが適用されるか否かに基づき与えられてもよい。例えば、符号化ビットを含むチャネルに周波数ホッピングが適用される場合、チャネルインターリーバ部４００８により、該多重ビットの配置切り替えが行われてもよい。また、多重ビットを含むチャネルに周波数ホッピングが適用されない場合、チャネルインターリーバ部４００８により、該多重ビットの配置切り替えが行われなくてもよい。
【０１２５】
チャネルインターリーバ部４００８による多重ビットの配置切り替えが行われるか否かは、サブキャリア間隔に基づき与えられてもよい。例えば、チャネルインターリーバ部４００８による多重ビットの配置切り替えが行われるか否かは、該多重ビットを含むチャネルのためのサブキャリア間隔に基づいて与えられてもよい。また、多重ビットを含むチャネルのためのサブキャリア間隔が１５ｋＨｚである場合、チャネルインターリーバ部４００８により、該多重ビットの配置切り替えが行われてもよい。また、多重ビットを含むチャネルのためのサブキャリア間隔が１５ｋＨｚではない場合、チャネルインターリーバ部４００８により、該多重ビットの配置切り替えが行われなくてもよい。
【０１２６】
チャネルインターリーバ部４００８による多重ビットの配置切り替えが行われるか否かは、該多重ビットを含むチャネルのためのＴＴＩ長（またはシンボル数）に基づき与えられてもよい。例えば、符号化ビットを含むチャネルのためのＴＴＩ長が１ｍｓより小さい場合、チャネルインターリーバ部４００８により、該多重ビットの配置切り替えが行われてもよい。また、符号化ビットを含むチャネルのためのＴＴＩ長が１ｍｓより大きい場合、チャネルインターリーバ部４００８により、該多重ビットの配置切り替えが行われなくてもよい。また、多重ビットを含むチャネルのためのＴＴＩ長が１ｍｓより小さい場合、チャネルインターリーバ部４００８により、該多重ビットの配置切り替えが行われなくてもよい。また、多重ビットを含むチャネルのためのＴＴＩ長が１ｍｓより大きい場合、チャネルインターリーバ部４００８により、該多重ビットの配置切り替えが行われてもよい。また、チャネルインターリーバ部４００８による多重ビットの配置切り替えが行われるか否かは、該多重ビットを含むチャネルのためのシンボル数が１４であるか否かに基づき与えられてもよい。例えば、多重ビットを含むチャネルのシンボル数が１４より小さい場合、チャネルインターリーバ部４００８により、該多重ビットの配置切り替えが行われてもよい。また、多重ビットを含むチャネルのシンボル数が１４より大きい場合、チャネルインターリーバ部４００８により、該多重ビットの配置切り替えが行われなくてもよい。また、多重ビットを含むチャネルのシンボル数が１４より小さい場合、チャネルインターリーバ部４００８により、該多重ビットの配置切り替えが行われなくてもよい。また、多重ビットを含むチャネルのシンボル数が１４より大きい場合、チャネルインターリーバ部４００８により、該多重ビットの配置切り替えが行われてもよい。
【０１２７】
チャネルインターリーバ部４００８による多重ビットの配置切り替えが行われるか否かは、信号波形に基づき与えられてもよい。例えば、チャネルインターリーバ部４００８による多重ビットの配置切り替えが行われるか否かは、該多重ビットを含むチャネルの信号波形に基づき与えられてもよい。例えば、多重ビットを含むチャネルの信号波形が所定の信号波形である場合、チャネルインターリーバ部４００８により、多重ビットの配置切り替えが行われてもよい。また、多重ビットを含むチャネルの信号波形が所定の信号波形以外である場合、チャネルインターリーバ部４００８により、該多重ビットの配置切り替えが行われなくてもよい。ここで、例えば、所定の信号波形はＯＦＤＭであってもよい。また、所定の信号波形は、ＤＦＴ-ｓ−ＯＦＤＭであってもよい。
【０１２８】
チャネルインターリーバ部４００８による多重ビットの配置切り替えが行われるか否かは、該多重ビットを含むトランスポートブロックに適用される誤り訂正符号（例えば、誤り訂正符号の種類、検査行列の大きさ、検査行列の生成方法、符号化率、外符号の有無等）に基づき与えられてもよい。例えば、多重ビットを含むトランスポートブロックに適用される誤り訂正符号がターボ符号である場合、チャネルインターリーバ部４００８により、該多重ビットの配置切り替えが行われてもよい。また、多重ビットを含むトランスポートブロックに適用される誤り訂正符号がターボ符号以外である場合、チャネルインターリーバ部４００８により、該多重ビットの配置切り替えが行われなくてもよい。また、多重ビットを含むトランスポートブロックに適用される誤り訂正符号の符号化率が１／３である場合、チャネルインターリーバ部４００８により、多重ビットの配置切り替えが行われてもよい。また、多重ビットを含むトランスポートブロックに適用される誤り訂正符号の符号化率が１／３以外である場合、チャネルインターリーバ部４００８により、多重ビットの配置切り替えが行われなくてもよい。また、多重ビットを含むトランスポートブロックに外符号が適用されない場合、チャネルインターリーバ部４００８により、多重ビットの配置切り替えが行われてもよい。また、多重ビットを含むトランスポートブロックに外符号が適用される場合、チャネルインターリーバ部４００８により、多重ビットの配置切り替えが行われなくてもよい。
【０１２９】
チャネルインターリーバ部４００８による多重ビットの配置切り替えが行われるか否かは、該多重ビットを含むトランスポートブロック、および／または、該多重ビットの生成に用いられるコードブロックに付加されるＣＲＣビットの数に基づいて与えられてもよい。例えば、多重ビットを含むトランスポートブロック、および／または、多重ビットの生成に用いられるコードブロックに付加されるＣＲＣビットが付加される場合、チャネルインターリーバ部４００８により、該多重ビットの配置切り替えが行われてもよい。また、多重ビットを含むトランスポートブロック、および、多重ビットの生成に用いられるコードブロックに付加されるＣＲＣビットが付加されない場合、チャネルインターリーバ部４００８により、該多重ビットの配置切り替えが行われなくてもよい。また、多重ビットを含むトランスポートブロック、および／または、多重ビットの生成に用いられるコードブロックに付加されるＣＲＣビットが２４ビットである場合、チャネルインターリーバ部４００８により、該多重ビットの配置切り替えが行われてもよい。また、多重ビットを含むトランスポートブロック、および、多重ビットの生成に用いられるコードブロックに付加されるＣＲＣビットが２４ビット以外である場合、チャネルインターリーバ部４００８により、該多重ビットの配置切り替えが行われなくてもよい。
【０１３０】
例えば、チャネルインターリーバ部４００８による多重ビットの配置切り替えが行われるか否かは、サービングセルのための複信方式に基づき与えられてもよい。また、チャネルインターリーバ部４００８による多重ビットの配置切り替えが行われるか否かは、該多重ビットを含むトランスポートブロックを含むチャネルのためのサービングセルに適用される複信方式に基づき与えられてもよい。
【０１３１】
ここで、多重ビットの配置切り替えにおけるマッピングのために優先される軸は時間軸であってもよい（Time first mapping）。つまり、第１の軸は時間軸であってもよい。また、符号化ビットの配置切り替えにおけるマッピングのために優先される軸は周波数軸であってもよい（Frequency first mapping）。つまり、第２の軸は周波数軸であってもよ
い。
【０１３２】
例えば、リソースエレメントマップ処理部３００７は、送信ビットをリソースエレメントにマップする処理を行ってもよい。リソースエレメントは、ブロックＢ２内に配置される要素と対応してもよい。ここで、ブロックＢ２は、サブフレーム（または、サブフレー
ムの一部）であってもよい。また、ブロックＢ２は、スロット（または、スロットの一部）であってもよい。また、ブロックＢ２は、１または複数のＯＦＤＭシンボルに対応してもよい。リソースエレメントマップ処理部３００７は、送信ビットを、第１の軸を優先してマップしてもよいし、第２の軸を優先してマップしてもよい。ここで、ブロックＢ２は、ブロックＢ２の列数と行数を除いてブロックＢと同じである。ブロックＢ２の第１の軸と第２の軸のうち、少なくとも一方は周波数軸であってもよい。また、ブロックＢ２の第１の軸と第２の軸のうち、少なくとも一方は時間軸であってもよい。
【０１３３】
ブロックＢ、ブロックＢ１、ブロックＢ２のいずれかに情報の系列（例えば、符号化ビット、多重ビット、送信ビット等）をマッピングする、および／または、取得する機能を備える処理ブロックは、マッピング部とも呼称される。また、ブロックＢ、ブロックＢ１、ブロックＢ２はまとめてマッピング領域とも呼称される。
【０１３４】
リソースエレメントマップ処理部３００７は、送信ビットの、リソースエレメントへのマップ処理に周波数ホッピングを適用してもよい。周波数ホッピングは、スロットホッピングであってもよい。スロットホッピングは、１つのサブフレームに含まれる２つのスロットの無線信号が、それぞれ異なる周波数により送信される方式であってもよい。
【０１３５】
リソースエレメントのマップ処理に周波数ホッピングが適用されるか否かは、上位層の信号に含まれる情報に基づいてもよい。リソースエレメントのマップ処理に周波数ホッピングが適用されるか否かは、制御チャネルに含まれる情報に基づいてもよい。リソースエレメントのマップ処理に周波数ホッピングが適用されるか否かは、あらかじめ設定される情報に基づいてもよい。
【０１３６】
例えば、リソースエレメントマップ処理部３００７により、第１の軸と第２の軸のいずれが優先されて送信ビットがマップされるかは、トランスポートブロックサイズに基づき与えられてもよい。例えば、トランスポートブロックサイズＮＴＢＳがＮＴＢＳ＞Ｚｔを満たす場合、リソースエレメントマップ処理部３００７により、第１の軸が優先されて送信ビットがマップされてもよい。また、トランスポートブロックサイズＮＴＢＳがＮＴＢＳ≦Ｚｔを満たす場合に、リソースエレメントマップ処理部３００７により、第２の軸が優先されて送信ビットがマップされてもよい。ここで、Ｚｔ、Ｚ１、Ｚ２は、上位層の信号に含まれる情報に基づき与えられてもよい。ここで、Ｚｔ、Ｚ１、Ｚ２は、制御チャネルに含まれる情報に基づき与えられてもよい。また、Ｚｔ、Ｚ１、Ｚ２は、あらかじめ設定される情報に基づき与えられてもよい。また、リソースエレメントマップ処理部３００７により、第１の軸と第２の軸のいずれが優先されて送信ビットがマップされるかは、該トランスポートブロックサイズと変調方式（ＱＰＳＫ、１６ＱＡＭ、６４ＱＡＭ等）に基づき与えられてもよい。ここで、トランスポートブロックサイズと変調方式に基づく、とは、トランスポートブロックサイズと該トランスポートブロックに適用される変調方式の変調次数の比（または、変調シンボル数に関連する値）に基づくことであってもよい。また、リソースエレメントマップ処理部３００７により、第１の軸と第２の軸のいずれが優先されて送信ビットがマップされるか否かは、該送信ビットに含まれるトランスポートブロックのトランスポートブロックサイズと、該送信ビットに含まれるトランスポートブロックを含むチャネルのリソースエレメント数の比に基づき与えられてもよい。ここで、トランスポートブロックのトランスポートブロックサイズは、該トランスポートブロックから生成される少なくとも１つのコードブロックサイズの合計で表されてもよい。また、トランスポートブロックを含むチャネルに含まれるリソースエレメント数の比は、スケジューリング情報（例えば、下りリンク通信の場合、下りリンクグラントであってもよい。また、上りリンク通信の場合、上りリンクグラントであってもよい）により与えられる、端末装置１に割り当てられるリソースエレメント数で表されてもよい。ここで、端末装置１に割り当てられるリソースエレメント数は、割り当てられたサブキャリア数とシンボル数
の積により与えられてもよい。また、端末装置１に割り当てられるリソースエレメント数は、割り当てられたサブキャリア数とシンボル数の積から、所定の領域に含まれるリソースエレメントを差し引いた値として与えられてもよい。ここで、所定の領域は、参照信号チャネルが含まれる領域であってもよい。また、所定の領域は、同期チャネルが含まれる領域であってもよい。
【０１３７】
例えば、リソースエレメントマップ処理部３００７により、第１の軸と第２の軸のいずれが優先されて送信ビットがマップされるかは、コンポーネントキャリア（または、サービングセル、サービングセルの帯域幅等）に基づき与えられてもよい。例えば、リソースエレメントマップ処理部３００７により、第１の軸と第２の軸のいずれが優先されて送信ビットがマップされるかは、該送信ビットを含むチャネルのためのコンポーネントキャリアに基づき与えられてもよい。リソースエレメントマップ処理部３００７により、第１の軸と第２の軸のいずれが優先されて送信ビットがマップされるかは、該送信ビットを含むチャネルのためのセルがプライマリセルであるかセカンダリセルであるかに基づき与えられてもよい。ここで、プライマリセルは、プライマリセカンダリセルを含んでもよい。また、セカンダリセルは、プライマリセカンダリセルを含んでもよい。また、例えば、リソースエレメントマップ処理部３００７により、第１の軸と第２の軸のいずれが優先されて送信ビットがマップされるかは、該送信ビットを含むチャネルのためのセルがプライマリセカンダリセルであるかに基づき与えられてもよい。リソースエレメントマップ処理部３００７により、第１の軸と第２の軸のいずれが優先されて送信ビットがマップされるかは、該送信ビットを含むチャネルのためのサービングセルがＳＣＧに含まれるかＭＣＧに含まれるかに基づき与えられてもよい。リソースエレメントマップ処理部３００７により、第１の軸と第２の軸のいずれが優先されて送信ビットがマップされるかは、該送信ビットを含むチャネルのためのサービングセルがライセンス帯域であるかアンライセンス帯域であるかに基づき与えられてもよい。
【０１３８】
リソースエレメントマップ処理部３００７により、第１の軸と第２の軸のいずれが優先されて送信ビットがマップされるかは、サービングセルのＩＤに基づき与えられてもよい。リソースエレメントマップ処理部３００７により、第１の軸と第２の軸のいずれが優先されて送信ビットがマップされるかは、該送信ビットを含むチャネルのためのサービングセルのＩＤに基づき与えられてもよい。
【０１３９】
リソースエレメントマップ処理部３００７により、第１の軸と第２の軸のいずれが優先されて送信ビットがマップされるかは、該送信ビットを含むチャネルに周波数ホッピングが適用されるか否かに基づき与えられてもよい。例えば、送信ビットを含むチャネルに周波数ホッピングが適用される場合、リソースエレメントマップ処理部３００７により、第１の軸が優先されて送信ビットがマップされてもよい。また、トランスポートブロックを含むチャネルに周波数ホッピングが適用されない場合、リソースエレメントマップ処理部３００７により、第２の軸が優先されて送信ビットがマップされてもよい。
【０１４０】
リソースエレメントマップ処理部３００７により、第１の軸と第２の軸のいずれが優先されて送信ビットがマップされるかは、サブキャリア間隔に基づき与えられてもよい。例えば、リソースエレメントマップ処理部３００７により、第１の軸と第２の軸のいずれが優先されて送信ビットがマップされるかは、該送信ビットを含むチャネルのためのサブキャリア間隔に基づいて与えられてもよい。また、送信ビットを含むチャネルのためのサブキャリア間隔が１５ｋＨｚである場合、リソースエレメントマップ処理部３００７により、第１の軸が優先されて送信ビットがマップされてもよい。また、送信ビットを含むチャネルのためのサブキャリア間隔が１５ｋＨｚではない場合、リソースエレメントマップ処理部３００７により、第２の軸が優先されて送信ビットがマップされてもよい。
【０１４１】
リソースエレメントマップ処理部３００７により、第１の軸と第２の軸のいずれが優先されて送信ビットがマップされるかは、該送信ビットを含むチャネルのためのＴＴＩ長（またはシンボル数）に基づき与えられてもよい。例えば、送信ビットを含むチャネルのためのＴＴＩ長が１ｍｓより小さい場合、リソースエレメントマップ処理部３００７により、第１の軸が優先されて送信ビットがマップされてもよい。また、送信ビットを含むチャネルのためのＴＴＩ長が１ｍｓより大きい場合、リソースエレメントマップ処理部３００７により、第２の軸が優先されて送信ビットがマップされてもよい。また、リソースエレメントマップ処理部３００７により、第１の軸と第２の軸のいずれが優先されて送信ビットがマップされるかは、該送信ビットを含むチャネルのためのシンボル数が１４であるか否かに基づき与えられてもよい。例えば、送信ビットを含むチャネルのシンボル数が１４より小さい場合、リソースエレメントマップ処理部３００７により、第１の軸が優先されて送信ビットがマップされてもよい。また、送信ビットを含むチャネルのシンボル数が１４より大きい場合、リソースエレメントマップ処理部３００７により、第２の軸が優先されて送信ビットがマップされてもよい。
【０１４２】
リソースエレメントマップ処理部３００７により、第１の軸と第２の軸のいずれが優先されて送信ビットがマップされるかは、信号波形に基づき与えられてもよい。例えば、リソースエレメントマップ処理部３００７により、第１の軸と第２の軸のいずれが優先されて送信ビットがマップされるかは、該送信ビットを含むチャネルの信号波形に基づき与えられてもよい。例えば、送信ビットを含むチャネルの信号波形が所定の信号波形である場合、リソースエレメントマップ処理部３００７により、第１の軸が優先されて送信ビットがマップされてもよい。また、符号化ビットを含むチャネルの信号波形が所定の信号波形以外である場合、リソースエレメントマップ処理部３００７により、第２の軸が優先されて送信ビットがマップされてもよい。ここで、例えば、所定の信号波形はＯＦＤＭであってもよい。また、所定の信号波形は、ＤＦＴ-ｓ−ＯＦＤＭであってもよい。
【０１４３】
リソースエレメントマップ処理部３００７により、第１の軸と第２の軸のいずれが優先されて送信ビットがマップされるかは、該送信ビットに含まれるトランスポートブロックに適用される誤り訂正符号（例えば、誤り訂正符号の種類、検査行列の大きさ、検査行列の生成方法、符号化率、外符号の有無等）に基づき与えられてもよい。例えば、送信に含まれるトランスポートブロックに適用される誤り訂正符号がターボ符号である場合、リソースエレメントマップ処理部３００７により、第１の軸が優先されて送信ビットがマップされてもよい。また、送信ビットに含まれるトランスポートブロックに適用される誤り訂正符号がターボ符号以外である場合、リソースエレメントマップ処理部３００７により、第２の軸が優先されて送信ビットがマップされてもよい。また、送信ビットに含まれるトランスポートブロックに適用される誤り訂正符号の符号化率が１／３である場合、リソースエレメントマップ処理部３００７により、第１の軸が優先されて送信ビットがマップされてもよい。また、送信ビットに含まれるトランスポートブロックに適用される誤り訂正符号の符号化率が１／３以外である場合、リソースエレメントマップ処理部３００７により、第２の軸が優先されて送信ビットがマップされてもよい。また、送信ビットに含まれるトランスポートブロックに外符号が適用されない場合、リソースエレメントマップ処理部３００７により、第１の軸が優先されて送信ビットがマップされてもよい。また、送信ビットに含まれるトランスポートブロックに外符号が適用される場合、リソースエレメントマップ処理部３００７により、第２の軸が優先されて送信ビットがマップされてもよい。
【０１４４】
リソースエレメントマップ処理部３００７により、第１の軸と第２の軸のいずれが優先されて送信ビットがマップされるかは、該送信ビットに含まれるトランスポートブロック、および／または、該送信ビットに含まれるコードブロックに付加されるＣＲＣビットの数に基づいて与えられてもよい。例えば、送信ビットに含まれるトランスポートブロック
、および／または、送信ビットに含まれるコードブロックに付加されるＣＲＣビットが付加される場合、リソースエレメントマップ処理部３００７により、第１の軸が優先されて送信ビットがマップされてもよい。また、送信ビットに含まれるトランスポートブロック、および、送信ビットに含まれるコードブロックに付加されるＣＲＣビットが付加されない場合、リソースエレメントマップ処理部３００７により、第２の軸が優先されて送信ビットがマップされてもよい。また、送信ビットに含まれるトランスポートブロック、および／または、送信ビットに含まれるコードブロックに付加されるＣＲＣビットが２４ビットである場合、リソースエレメントマップ処理部３００７により、第１の軸が優先されて送信ビットがマップされてもよい。また、送信ビットに含まれるトランスポートブロック、および、送信ビットに含まれるコードブロックに付加されるＣＲＣビットが２４ビット以外である場合、リソースエレメントマップ処理部３００７により、第２の軸が優先されて送信ビットがマップされてもよい。
【０１４５】
例えば、リソースエレメントマップ処理部３００７により、第１の軸と第２の軸のいずれが優先されて送信ビットがマップされるかは、サービングセルのための複信方式に基づき与えられてもよい。また、リソースエレメントマップ処理部３００７により、第１の軸と第２の軸のいずれが優先されて送信ビットがマップされるかは、該送信ビットに含まれるトランスポートブロックを含むチャネルのためのサービングセルに適用される複信方式に基づき与えられてもよい。
【０１４６】
ここで、例えば、第１の軸は時間軸であり、第２の軸は周波数軸であってもよい。また、第１の軸は周波数軸であり、第２の軸は時間軸であってもよい。
【０１４７】
以下、本発明の一態様に係る端末装置１および基地局装置３の手順を列挙する。
【０１４８】
端末装置１および基地局装置３は、送信プロセスを備えてもよい。送信プロセスは、送信部１０７または送信部３０７の少なくとも１つの処理を含んでもよい。
【０１４９】
端末装置１および基地局装置３は、受信プロセスを備えてもよい。受信プロセスは、受信部１０５または受信部３０５の少なくとも１つの処理を含んでもよい。
【０１５０】
送信プロセスを備える端末装置１、および、送信プロセスを備える基地局装置３をまとめて送信装置８とも呼称する。受信プロセスを備える端末装置１、および、受信プロセスを備える基地局装置３をまとめて受信装置９とも呼称する。ここで、端末装置１は、送信装置８、および／または、受信装置９であってもよい。また、基地局装置３は、送信装置８、および／または、受信装置９であってもよい。
【０１５１】
送信装置８は、シンボルの長さ、信号波形、誤り訂正符号の方式、コンポーネントキャリアの少なくとも１つに基づき、トランスポートブロックのコードブロック長の設定、および／または、マッピング方法の設定を切り替えてもよい。受信装置９は、シンボルの長さ、信号波形、誤り訂正符号の方式、コンポーネントキャリアの少なくとも１つに基づき、当該受信したトランスポートブロックに関するコードブロック長の設定、および／または、マッピング方法の設定が切り替わっていることを想定してもよい。
【０１５２】
コードブロック長の設定は、コードブロック長、最大コードブロック長Ｚのいずれかであってもよい。
【０１５３】
マッピング方法の設定は、サブブロックインターリーバ、チャネルインターリーバ、リソースエレメントマッピングの設定のいずれかであってもよい。
【０１５４】
シンボルの長さは、サブキャリア間隔（または、シングルキャリアの場合、帯域幅でもよい）、シンボル数（またはTTI (Transmission Time Interval)長等）のいずれかであってもよい。
【０１５５】
信号波形は、波形（Waveform）の種類であってもよい。波形は、例えば、ＯＦＤＭ、ＤＦＴ−ｓ−ＯＦＤＭ、周波数ホッピング等であってもよい。
【０１５６】
誤り訂正符号の方式は、検査行列の種類により特定されてもよい。誤り訂正符号の方式は、ＣＲＣビットの有無、または、ＣＲＣビットの長さにより特定されてもよい。
【０１５７】
コンポーネントキャリアは、サービングセル、物理セルＩＤ、ＳｃｅｌｌＩｎｄｅｘ、ＳｅｒｖＣｅｌｌＩｎｄｅｘのいずれかにより特定されてもよい。
【０１５８】
シンボルの長さ、信号波形、誤り訂正符号の方式、コンポーネントキャリアに関する設定情報は、制御チャネルに含まれてもよい。端末装置１は、基地局装置３より送信される制御チャネルに含まれるシンボルの長さ、信号波形、誤り訂正符号の方式、コンポーネントキャリアに関する設定情報に基づき、コードブロック長の設定、および／または、マッピング方法の設定を切り替えてもよい。
【０１５９】
シンボルの長さ、信号波形、誤り訂正符号の方式、コンポーネントキャリアに関する設定情報は、上位層の信号に含まれてもよい。端末装置１は、基地局装置３より送信される上位層の信号に含まれるシンボルの長さ、信号波形、誤り訂正符号の方式、コンポーネントキャリアに関する設定情報に基づき、コードブロック長の設定、および／または、マッピング方法の設定を切り替えてもよい。
【０１６０】
以下、本発明の端末装置１の装置構成について説明する。
【０１６１】
図１０は、本実施形態における端末装置１の構成を示す概略ブロック図である。図示するように、端末装置１は、上位層処理部１０１、制御部１０３、受信部１０５、送信部１０７および、送受信アンテナ１０９の少なくとも１つを含んで構成される。上位層処理部１０１は、無線リソース制御部１０１１、スケジューリング部１０１３の少なくとも１つを含んで構成される。受信部１０５は、復号化部１０５１、復調部１０５３、多重分離部１０５５、無線受信部１０５７とチャネル測定部１０５９の少なくとも１つを含んで構成される。送信部１０７は、符号化部１０７１、共有チャネル生成部１０７３、制御チャネル生成部１０７５、多重部１０７７、無線送信部１０７９と上りリンク参照信号生成部１０７１１の少なくとも１つを含んで構成される。
【０１６２】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は制御チャネルで受信された下りリンク制御情報などに基づき、受信部１０５、および送信部１０７の制御を行なうために制御情報を生成し、制御部１０３に出力する。
【０１６３】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力
し、受信した下りリンクデータの復号に失敗した場合には、ＮＡＣＫを生成し、送信部１０７にＮＡＣＫを出力する。
【０１６４】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従って共有チャネルを受信するよう、制御部１０３を介して受信部１０５を制御する。
【０１６５】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１６６】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１６７】
無線受信部１０５７は、送受信アンテナ１０９を介して受信した下りリンクの信号を直交復調し、直交復調されたアナログ信号をディジタル信号に変換する。例えば、無線受信部１０５７は、ディジタル信号に対して高速フーリエ変換（Fast Fourier Transform: FFT）を行い、周波数領域の信号を抽出してもよい。
【０１６８】
多重分離部１０５５は、抽出した信号を制御チャネル、共有チャネル、および、参照信号チャネルに、それぞれ分離する。多重分離部１０５５は、分離した参照信号チャネルをチャネル測定部１０５９に出力する。
【０１６９】
復調部１０５３は、制御チャネル、および、共有チャネルに対して、ＱＰＳＫ、１６ＱＡＭ（QuadratureAmplitude Modulation）、６４ＱＡＭ等の変調方式に対する復調を行ない、復号化部１０５１へ出力する。
【０１７０】
復号化部１０５１は、下りリンクデータの復号を行い、復号した下りリンクデータを上位層処理部１０１へ出力する。チャネル測定部１０５９は、参照信号チャネルから下りリンクの伝搬路の推定値を算出し、多重分離部１０５５へ出力する。チャネル測定部１０５９は、チャネル状態情報を算出し、尚且つ、チャネル状態情報を上位層処理部１０１へ出力する。
【０１７１】
送信部１０７は、制御部１０３から入力された制御信号に従って、上りリンク参照信号チャネルを生成し、上位層処理部１０１から入力された上りリンクデータや上りリンク制御情報を符号化および変調し、共有チャネル、制御チャネル、参照信号チャネルを多重し、送受信アンテナ１０９を介して基地局装置３に送信する。
【０１７２】
符号化部１０７１は、上位層処理部１０１から入力された上りリンク制御情報と上りリンクデータを符号化し、符号化ビットを共有チャネル生成部１０７３および／または制御チャネル生成部１０７５に出力する。
【０１７３】
共有チャネル生成部１０７３は、符号化部１０７１から入力された符号化ビットを変調して変調シンボルを生成し、変調シンボルをＤＦＴすることによって共有チャネルを生成
し、多重部１０７７へ出力してもよい。共有チャネル生成部１０７３は、符号化部１０７１から入力された符号化ビットを変調して共有チャネルを生成し、多重部１０７７へ出力してもよい。
【０１７４】
制御チャネル生成部１０７５は、符号化部１０７１から入力された符号化ビット、および／または、ＳＲに基づいて、制御チャネルを生成し、多重部１０７７へ出力する。
【０１７５】
上りリンク参照信号生成部１０７１１は上りリンク参照信号を生成し、生成した上りリンク参照信号を多重部１０７７へ出力する。
【０１７６】
多重部１０７７は、制御部１０３から入力された制御信号に従って、共有チャネル生成部１０７３から入力された信号および／または制御チャネル生成部１０７５から入力された信号、および／または、上りリンク参照信号生成部１０７１１から入力された上りリンク参照信号を、送信アンテナポート毎に上りリンクのリソースエレメントに多重する。
【０１７７】
無線送信部１０７９は、多重された信号を逆高速フーリエ変換（Inverse Fast Fourier
Transform: IFFT）を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１７８】
以下、本発明の基地局装置３の装置構成について説明する。
【０１７９】
図１１は、本実施形態における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１８０】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１８１】
上位層処理部３０１が備える無線リソース制御部３０１１は、下りリンクの共有チャネルに配置される下りリンクデータ、ＲＲＣ  ｓｉｇｎａｌｉｎｇ、ＭＡＣ  ＣＥ（Control Element）を生成し、又は上位ノードから取得し、ＨＡＲＱ制御部３０１３に出力する
。また、無線リソース制御部３０１１は、端末装置１各々の各種設定情報の管理をする。例えば、無線リソース制御部３０１１は、端末装置１に設定したサービングセルの管理などを行なう。
【０１８２】
上位層処理部３０１が備えるスケジューリング部３０１３は、端末装置１に割り当てる共有チャネルや制御チャネルの無線リソースの管理をしている。スケジューリング部３０１３は、端末装置１に共有チャネルの無線リソースを割り当てた場合には、共有チャネルの無線リソースの割り当てを示す上りリンクグラントを生成し、生成した上りリンクグラ
ントを送信部３０７へ出力する。
【０１８３】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１８４】
受信部３０５は、制御部３０３から入力された制御信号に従って、送受信アンテナ３０９を介して端末装置１から受信した受信信号を分離、復調、復号し、復号した情報を上位層処理部３０１に出力する。
【０１８５】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【０１８６】
多重分離部１０５５は、無線受信部３０５７から入力された信号を制御チャネル、共有チャネル、参照信号チャネルなどの信号に分離する。尚、この分離は、予め基地局装置３が無線リソース制御部３０１１で決定し、各端末装置１に通知した上りリンクグラントに含まれる無線リソースの割り当て情報に基づいて行なわれる。多重分離部３０５５は、チャネル測定部３０５９から入力された伝搬路の推定値から、制御チャネルと共有チャネルの伝搬路の補償を行なう。また、多重分離部３０５５は、分離した参照信号チャネルをチャネル測定部３０５９に出力する。
【０１８７】
多重分離部３０５５は、分離した制御チャネルと共有チャネルから、上りリンクデータの変調シンボルと上りリンク制御情報（ＨＡＲＱ−ＡＣＫ）の変調シンボルを取得する。多重分離部３０５５は、共有チャネルの信号から取得した上りリンクデータの変調シンボルをデータ復調／復号部３０５１へ出力する。多重分離部３０５５は、制御チャネルまたは共有チャネルから取得した上りリンク制御情報（ＨＡＲＱ−ＡＣＫ）の変調シンボルを制御情報復調／復号部３０５３へ出力する。
【０１８８】
チャネル測定部３０５９は、多重分離部３０５５から入力された上りリンク参照信号から伝搬路の推定値、チャネルの品質などを測定し、多重分離部３０５５および上位層処理部３０１に出力する。
【０１８９】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【０１９０】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【０１９１】
送信部３０７は、制御部３０３から入力された制御信号に従って、下りリンク参照信号を生成し、上位層処理部３０１から入力された下りリンク制御情報、下りリンクデータを符号化、および変調し、制御チャネル、共有チャネル、参照信号チャネルを多重して、送受信アンテナ３０９を介して端末装置１に信号を送信する。
【０１９２】
符号化部３０７１は、上位層処理部３０１から入力された下りリンク制御情報、および、下りリンクデータの符号化を行なう。変調部３０７３は、符号化部３０７１から入力さ
れた符号化ビットをＢＰＳＫ、ＱＰＳＫ、１６ＱＡＭ、６４ＱＡＭ等の変調方式で変調する。変調部３０７３は、変調シンボルにプリコーディングを適用してもよい。プレコーディングは、送信プレコードを含んでもよい。なお、プレコーディングとは、プレコーダが乗算される（適用される）ことであってもよい。
【０１９３】
下りリンク参照信号生成部３０７９は下りリンク参照信号を生成する。多重部３０７５は、各チャネルの変調シンボルと下りリンク参照信号を多重し、送信シンボルを生成する。
【０１９４】
多重部３０７５は、送信シンボルにプレコーディングを適用してもよい。多重部３０７５が送信シンボルに適用するプレコーディングは、下りリンク参照信号、および／または、変調シンボルに対して適用されてもよい。また、下りリンク参照信号に適用されるプレコーディングと、変調シンボルに対して適用されるプレコーディングは、同一であってもよいし、異なってもよい。
【０１９５】
無線送信部３０７７は、多重された送信シンボルなどを逆高速フーリエ変換（Inverse Fast Fourier Transform: IFFT）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、搬送波信号（Carrier signal, Carrier, RF signal等）を生成する。無線送信部３０７７は、搬送波信号に対して、電力増幅し、送受信アンテナ３０９に出力して送信する。
【０１９６】
（１）上記の目的を達成するために、本発明の態様は、以下のような手段を講じた。すなわち、本発明の第１の態様における送信装置８は、トランスポートブロックを複数のコードブロックに分割し、前記コードブロックを符号化する符号化部と、前記コードブロックを含むチャネルを送信する送信部と、を備え、前記コードブロックの長さは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記コードブロックに適用される誤り訂正符号化の方式であり、前記第４の要素は前記チャネルのコンポーネントキャリアの設定である。
【０１９７】
（２）また、本発明の第１の態様において、前記コードブロックの長さは、前記第１の要素、前記第２の要素、前記第３の要素、および、前記第４の要素の少なくとも１つに基づき与えられる前記トランスポートブロックのための最大コードブロック長に基づき、与えられる。
【０１９８】
（３）また、本発明の第２の態様における受信装置９は、１つのトランスポートブロックを分割することによって生成される複数のコードブロックを含むチャネルを受信する受信部と、前記複数の複数のコードブロックを復号化する復号化部と、を備え、前記コードブロックの長さは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記コードブロックに適用される誤り訂正符号化の方式であり、前記第４の要素は前記チャネルのコンポーネントキャリアの設定である。
【０１９９】
（４）また、本発明の第２の態様において、前記コードブロックの長さは、前記第１の要素、前記第２の要素、前記第３の要素、および、前記第４の要素の少なくとも１つに基
づき与えられる前記トランスポートブロックのための最大コードブロック長に基づき、与えられる。
【０２００】
（５）また、本発明の第３の態様における送信装置８は、トランスポートブロックの符号化により符号化ビットを生成する符号化部と、前記符号化ビットを含むチャネルを送信する送信部と、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【０２０１】
（６）また、本発明の第３の態様において、前記マッピングは、サブブロックインターリーブであり、前記符号化ビットの配置切り替えが行われるか否かは、前記第１の要素、前記第２の要素、前記第３の要素、および、前記第４の要素の少なくとも１つに基づき与えられる。
【０２０２】
（７）また、本発明の第３の態様において、前記マッピングは、チャネルインターリーブであり、前記符号化ビットに基づき生成される多重ビットの配置切り替えが行われるか否かは、前記第１の要素、前記第２の要素、前記第３の要素、および、前記第４の要素の少なくとも１つに基づき与えられる。
【０２０３】
（８）また、本発明の第３の態様において、前記マッピングは、リソースエレメントマップ処理であり、前記符号化ビットに基づき生成される送信ビットが時間軸を優先してマッピングされるか（Time first mapping）、周波数軸を優先してマッピングされるか（Frequency first mapping）は、前記第１の要素、前記第２の要素、前記第３の要素、およ
び、前記第４の要素の少なくとも１つに基づき与えられる。
【０２０４】
（９）また、本発明の第４の態様における受信装置９は、トランスポートブロックの符号化により生成される符号化ビットを含むチャネルを受信する受信部と、前記符号化ビットを復号化する復号化部と、を備え、前記符号化ビットのマッピングは、第１の要素、第２の要素、第３の要素、および、第４の要素の少なくとも１つに基づき与えられ、前記第１の要素は前記チャネルのシンボルの長さであり、前記第２の要素は前記チャネルの信号波形であり、前記第３の要素は前記トランスポートブロックに適用される誤り訂正符号化の方式であり、前記第４の要素は前記チャネルのコンポーネントキャリアの設定である。
【０２０５】
（１０）また、本発明の第４の態様において、前記マッピングは、サブブロックインターリーブであり、前記符号化ビットの配置切り替えが行われるか否かは、前記第１の要素、前記第２の要素、前記第３の要素、および、前記第４の要素の少なくとも１つに基づき与えられる。
【０２０６】
（１１）
また、本発明の第４の態様において、前記マッピングは、チャネルインターリーブであり、前記符号化ビットに基づき生成される多重ビットの配置切り替えが行われるか否かは、前記第１の要素、前記第２の要素、前記第３の要素、および、前記第４の要素の少なくとも１つに基づき与えられる。
【０２０７】
（１２）また、本発明の第４の態様において、前記マッピングは、リソースエレメントマップ処理であり、前記符号化ビットに基づき生成される送信ビットが時間軸を優先してマッピングされるか（Time first mapping）、周波数軸を優先してマッピングされるか（Frequency first mapping）は、前記第１の要素、前記第２の要素、前記第３の要素、お
よび、前記第４の要素の少なくとも１つに基づき与えられる。
【０２０８】
ここで、第１から第４の態様において、前記シンボルは、ＯＦＤＭシンボル、ＤＦＴ−Ｓ−ＯＦＤＭシンボル、または、ＳＣ−ＦＤＭＡシンボルであってもよい。また、前記シンボルは、サブキャリア間隔に基づき与えられてもよい。
【０２０９】
本発明に関わる端末装置１、基地局装置３、送信装置８、受信装置９で動作するプログラムは、本発明に関わる上記実施形態の機能を実現するように、ＣＰＵ（Central Processing Unit）等を制御するプログラム（コンピュータを機能させるプログラム）であって
も良い。そして、これら装置で取り扱われる情報は、その処理時に一時的にＲＡＭ（Random Access Memory）に蓄積され、その後、Ｆｌａｓｈ  ＲＯＭ（Read Only Memory)など
の各種ＲＯＭやＨＤＤ（Hard Disk Drive）に格納され、必要に応じてＣＰＵによって読
み出し、修正・書き込みが行われる。
【０２１０】
尚、上述した実施形態における端末装置１、基地局装置３、送信装置８、または、受信装置９の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２１１】
尚、ここでいう「コンピュータシステム」とは、端末装置１、基地局装置３、送信装置８、または、受信装置９に内蔵されたコンピュータシステムであって、ＯＳや周辺機器等のハードウェアを含むものとする。また、「コンピュータが読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２１２】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２１３】
また、上述した実施形態における端末装置１、基地局装置３、送信装置８、または、受信装置９は、複数の装置から構成される集合体（装置グループ）として実現することもできる。装置グループを構成する装置の各々は、上述した実施形態に関わる端末装置１、基地局装置３、送信装置８、または、受信装置９の各機能または各機能ブロックの少なくとも一つを備えてもよい。装置グループとして、端末装置１、基地局装置３、送信装置８、または、受信装置９の一通りの各機能または各機能ブロックを有していればよい。また、上述した実施形態に関わる端末装置１、基地局装置３、送信装置８、または、受信装置９は、集合体としての基地局装置と通信することも可能である。
【０２１４】
また、上述した実施形態における基地局装置３、送信装置８、または、受信装置９は、ＥＵＴＲＡＮ（Evolved Universal Terrestrial Radio Access Network）であってもよい。また、上述した実施形態における基地局装置３、送信装置８、または、受信装置９は、ｅＮｏｄｅＢに対する上位ノードの機能の少なくとも一つを有してもよい。
【０２１５】
また、上述した実施形態における端末装置１、基地局装置３、送信装置８、または、受信装置９の一部、又は全部を典型的には集積回路であるＬＳＩとして実現してもよいし、
チップセットとして実現してもよい。端末装置１、基地局装置３、送信装置８、または、受信装置９の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２１６】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０２１７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２１８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２１９】
１（１Ａ、１Ｂ、１Ｃ）  端末装置
３（３Ａ、３Ｂ）  基地局装置
８  送信装置
９  受信装置
１０１  上位層処理部
１０３  制御部
１０５  受信部
１０７  送信部
１０９  送受信アンテナ
１０１１  無線リソース制御部
１０１３  スケジューリング部
１０５１  復号化部
１０５３  復調部
１０５５  多重分離部
１０５７  無線受信部
１０５９  チャネル測定部
１０７１  符号化部
１０７３  共有チャネル生成部
１０７５  制御チャネル生成部
１０７７  多重部
１０７９  無線送信部
１０７１１  上りリンク参照信号生成部
３０１  上位層処理部
３０３  制御部
３０５  受信部
３０７  送信部
３０９  送受信アンテナ
３０００  送信プロセス
３００１  符号化処理部
３００２  スクランブル処理部
３００３  変調マップ処理部
３００４  レイヤマップ処理部
３００５  送信プレコード処理部
３００６  プレコード処理部
３００７  リソースエレメントマップ処理部
３００８  ベースバンド信号生成処理部
３０１１  無線リソース制御部
３０１３  スケジューリング部
３０５１  データ復調／復号部
３０５３  制御情報復調／復号部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
４０１  分割およびＣＲＣ付加部
４００１  ＣＲＣ付加部
４００２  符号化部
４００３  サブブロックインターリーバ部
４００４  ビット収集部
４００５  ビット選択および切断部
４００６  結合部
４００７  制御情報およびデータ多重部
４００８  チャネルインターリーバ部
４０１１  コードブロック分割部
４０１２  ＣＲＣ付加部
【図１】
2019149592.tif 000003
【図２】
2019149592.tif 000004
【図３】
2019149592.tif 000005
【図４】
2019149592.tif 000006
【図５】
2019149592.tif 000007
【図６】
2019149592.tif 000008
【図７】
2019149592.tif 000009
【図８】
2019149592.tif 000010
【図９】
2019149592.tif 000011
【図１０】
2019149592.tif 000012
【図１１】
2019149592.tif 000013